(57)【要約】      （修正有）【課題】ＷＷＡＮ通信及びＷＬＡＮ通信を同時に使用したＷＷＡＮ・ＷＬＡＮアグリゲーション通信が可能な無線端末を提供する。【解決手段】無線端末は、ＷＷＡＮ通信及びＷＬＡＮ通信を同時に使用したＷＷＡＮ・ＷＬＡＮアグリゲーション通信が可能な無線端末であって、ＷＷＡＮ・ＷＬＡＮアグリゲーション通信の実行中に、ＷＬＡＮ通信の測定結果に関するＷＬＡＮ測定情報をＷＷＡＮ通信により特定の基地局に送信する。【選択図】図１２
2018110441.tif 000002
【特許請求の範囲】
【請求項１】
ＷＷＡＮ通信及びＷＬＡＮ通信を同時に使用したＷＷＡＮ・ＷＬＡＮアグリゲーション通信が可能な無線端末であって、
前記ＷＷＡＮ・ＷＬＡＮアグリゲーション通信の実行中に、前記ＷＬＡＮ通信の測定結果に関するＷＬＡＮ測定情報を前記ＷＷＡＮ通信により特定の基地局に送信する送信部を備えることを特徴とする無線端末。
【請求項２】
前記特定の基地局は、前記無線端末における前記ＷＷＡＮ・ＷＬＡＮアグリゲーション通信の設定の解放、変更、及び使用停止のうち少なくとも１つを制御する基地局であることを特徴とする請求項１に記載の無線端末。
【請求項３】
前記特定の基地局は、前記無線端末の１つのベアラを前記ＷＷＡＮ通信用の第１のベアラ及び前記ＷＬＡＮ通信用の第２のベアラに分割するとともに、前記第１のベアラと前記第２のベアラとの間のデータ割り振りを行う基地局であることを特徴とする請求項１に記載の無線端末。
【請求項４】
前記送信部は、前記ＷＷＡＮ通信のＲＲＣ層仕様で規定されたＲＲＣシグナリングにより、前記ＷＬＡＮ測定情報を前記特定の基地局に送信することを特徴とする請求項１乃至３の何れか一項に記載の無線端末。
【請求項５】
前記ＷＬＡＮ測定情報は、ＷＬＡＮチャネル品質パラメータを含むことを特徴とする請求項１乃至４の何れか一項に記載の無線端末。
【請求項６】
前記ＷＬＡＮ測定情報は、ＷＬＡＮ混雑度パラメータを含むことを特徴とする請求項１乃至５の何れか一項に記載の無線端末。
【請求項７】
ＷＷＡＮ通信及びＷＬＡＮ通信を同時に使用して無線端末との通信を行うＷＷＡＮ・ＷＬＡＮアグリゲーション通信が可能なネットワークに設けられる基地局であって、
前記ＷＷＡＮ・ＷＬＡＮアグリゲーション通信の実行中に、前記ＷＬＡＮ通信の測定結果に関するＷＬＡＮ測定情報を前記ＷＷＡＮ通信により前記無線端末から受信する受信部を備えることを特徴とする基地局。
【請求項８】
前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する制御部を備えることを特徴とする請求項７に記載の基地局。
【発明の詳細な説明】
【技術分野】
【０００１】
本発明は、移動通信システムにおいて用いられる無線端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線広域ネットワーク（ＷＷＡＮ）技術であるＬＴＥ（Ｌｏｎｇ  Ｔｅｒｍ  Ｅｖｏｌｕｔｉｏｎ）通信と無線狭域ネットワーク（ＷＬＡＮ）通信とを連携させるインターワーキング技術が仕様化されている。
【０００３】
現在仕様化されているインターワーキング技術は、無線端末が、基地局から受信する制御情報に基づいて、基地局とＷＬＡＮノードとの間で接続先又は待ち受け先を切り替えるものである。
【０００４】
このようなインターワーキング技術を高度化するために、ＷＷＡＮ通信及びＷＬＡＮ通信を同時に使用してデータを送受信する技術が検討されている（例えば、非特許文献１参照）。このような技術は、ＷＷＡＮ・ＷＬＡＮアグリゲーション（ＬＴＥ・ＷＬＡＮアグリゲーション）と称される。
【先行技術文献】
【非特許文献】
【０００５】
【非特許文献１】３ＧＰＰ寄書  「ＲＰ−１４２２８１」  ２０１４年１２月
【発明の概要】
【０００６】
第１の特徴に係る無線端末は、ＷＷＡＮ通信及びＷＬＡＮ通信を同時に使用したＷＷＡＮ・ＷＬＡＮアグリゲーション通信が可能な無線端末である。前記無線端末は、前記ＷＷＡＮ・ＷＬＡＮアグリゲーション通信の実行中に、前記ＷＬＡＮ通信の測定結果に関するＷＬＡＮ測定情報を前記ＷＷＡＮ通信により特定の基地局に送信する。
【０００７】
第２の特徴に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報を前記ＷＷＡＮ通信により前記無線端末から受信する受信部を備える。
【０００８】
第３の特徴に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報を取得するＷＬＡＮ通信部と、前記ＷＬＡＮ測定情報に基づいて、前記ＷＷＡＮ・ＷＬＡＮアグリゲーション通信を制御する制御部と、を備える。
【０００９】
第４の特徴に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報をＷＬＡＮノードから取得する制御部を備える。前記制御部は、前記ＷＬＡＮ測定情報に基づいて、前記ＷＷＡＮ・ＷＬＡＮアグリゲーション通信を制御する。
【００１０】
第５の特徴に係る無線端末は、ＷＷＡＮ通信及びＷＬＡＮ通信を同時に使用したＷＷＡＮ・ＷＬＡＮアグリゲーション通信が可能な無線端末である。前記無線端末は、上りデータ送信に前記ＷＷＡＮ通信を適用する第１のベアラ及び上りデータ送信に前記ＷＬＡＮ通信を適用する第２のベアラを選択する制御部と、前記第１のベアラの上りデータを前記ＷＷＡＮ通信により送信し、前記第２のベアラの上りデータを前記ＷＬＡＮ通信により送信する送信部と、を備える。
【００１１】
第６の特徴に係る基地局は、無線端末のベアラが他の基地局により２つのベアラに分割されており、前記２つのベアラのうち一方のベアラを介して前記他の基地局から下りデータが転送される基地局である。前記基地局は、前記一方のベアラを介して前記他の基地局から転送された前記下りデータの中から、ＷＷＡＮ通信により前記無線端末に送信する第１の下りデータ及び前記ＷＬＡＮ通信により前記無線端末に送信する第２の下りデータを選択する制御部と、前記第１の下りデータを前記ＷＷＡＮ通信により前記無線端末に送信するＷＷＡＮ通信部と、前記第２の下りデータを前記ＷＬＡＮ通信により前記無線端末に送信するＷＬＡＮ通信部と、を備える。
【００１２】
第７の特徴に係る基地局は、他の基地局との直接的なインターフェイスを有するとともに、ＷＬＡＮノードとの直接的なインターフェイスを有する基地局である。前記基地局は、無線端末の第１のベアラ及び第２のベアラのそれぞれを２つに分割し、前記第１のベアラの一方の分割ベアラを介して前記他の基地局に下りデータを転送し、前記第２のベアラの一方の分割ベアラを介して前記ＷＬＡＮノードに下りデータを転送するデータ転送部と、前記第１のベアラの他方の分割ベアラを介して前記無線端末に下りデータを送信し、前記第２のベアラの他方の分割ベアラを介して前記無線端末に下りデータを送信するデータ送信部と、を備える。
【００１３】
第８の特徴に係る基地局は、他の基地局との直接的なインターフェイスを有するとともに、ＷＬＡＮノードとの直接的なインターフェイスを有する基地局である。前記基地局は、無線端末の１つのベアラを２つに分割し、前記１つのベアラの一方の分割ベアラを介して前記他の基地局に下りデータを転送するデータ転送部と、前記１つのベアラの他方の分割ベアラを介して前記無線端末に下りデータを送信するデータ送信部と、前記１つのベアラの新たな分割ベアラを前記ＷＬＡＮノードと構築し、前記一方の分割ベアラを解放する制御部と、を備える。前記データ転送部は、前記他の基地局へのデータ転送を停止し、前記新たな分割ベアラを介して前記ＷＬＡＮノードに下りデータを転送する。
【００１４】
第９の特徴に係る基地局は、無線端末がＷＷＡＮ通信及びＷＬＡＮ通信を同時に使用して通信を行うＷＷＡＮ・ＷＬＡＮアグリゲーション通信が可能なシステムにおける基地局である。前記基地局は、前記無線端末が有する機能を示す能力情報を取得する制御部を備える。前記ＷＷＡＮ通信のＰＤＣＰ層において前記無線端末のベアラを分割するとともに該ベアラの無線通信に前記ＷＷＡＮ通信及び前記ＷＬＡＮ通信を使用する第１の機能と、前記ＰＤＣＰ層を経由する前記ベアラを分割せずに該ベアラの無線通信に前記ＷＬＡＮ通信のみを使用する第２の機能と、が規定されている。前記制御部は、前記第１の機能の能力情報とは別の情報として、前記第２の機能の能力情報を取得する。
【００１５】
第１０の特徴に係る無線端末は、ＷＷＡＮ通信及びＷＬＡＮ通信を同時に使用して通信を行うＷＷＡＮ・ＷＬＡＮアグリゲーション通信が可能な無線端末である。前記無線端末は、前記無線端末が有する機能を示す能力情報を基地局に通知する制御部を備える。前記ＷＷＡＮ通信のＰＤＣＰ層において前記無線端末のベアラを分割するとともに該ベアラの無線通信に前記ＷＷＡＮ通信及び前記ＷＬＡＮ通信を使用する第１の機能と、前記ＰＤＣＰ層を経由する前記ベアラを分割せずに該ベアラの無線通信に前記ＷＬＡＮ通信のみを使用する第２の機能と、が規定されている。前記制御部は、前記第１の機能の能力情報とは別の情報として、前記第２の機能の能力情報を通知する。
【００１６】
第１１の特徴に係る無線通信装置は、ＷＷＡＮ通信及びＷＬＡＮ通信を同時に使用して通信を行うＷＷＡＮ・ＷＬＡＮアグリゲーション通信が可能なシステムにおける無線通信装置である。前記無線通信装置は、前記ＷＷＡＮ通信のＰＤＣＰ層からＷＬＡＮ通信エンティティにデータが転送される場合において、前記ＰＤＣＰ層よりも下位のＷＷＡＮ下位層に期待される機能が前記ＰＤＣＰ層に提供されるように、前記ＷＬＡＮ通信エンティティの機能を補完する制御を行う制御部を備える。
【図面の簡単な説明】
【００１７】
【図１】第１実施形態乃至第１０実施形態に係るＬＴＥシステム（移動通信システム）の構成を示す図である。
【図２】ＬＴＥシステムにおける無線インターフェイスのプロトコルスタック図である。
【図３】ＬＴＥシステムで使用される無線フレームの構成図である。
【図４】ｅＮＢ（基地局）及びＷＬＡＮノードの設置シナリオの概要を示す図である。
【図５】Ｃｏｌｌｏｃａｔｅｄシナリオ１を示す図である。
【図６】Ｃｏｌｌｏｃａｔｅｄシナリオ２を示す図である。
【図７】Ｎｏｎ−ｃｏｌｌｏｃａｔｅｄシナリオ１を示す図である。
【図８】Ｎｏｎ−ｃｏｌｌｏｃａｔｅｄシナリオ２を示す図である。
【図９】Ｎｏｎ−ｃｏｌｌｏｃａｔｅｄシナリオ３を示す図である。
【図１０】ＵＥ（無線端末）のブロック図である。
【図１１】ｅＮＢのブロック図である。
【図１２】第１実施形態に係る動作シーケンスの一例を示すシーケンス図である。
【図１３】第２実施形態に係る動作シーケンスの一例を示すシーケンス図である。
【図１４】第３実施形態に係るｅＮＢの動作フローの一例を示すフロー図である。
【図１５】第４実施形態に係るｅＮＢの動作フローの一例を示すフロー図である。
【図１６】第５実施形態に係る制御情報の一例を示す図である。
【図１７】第５実施形態に係るＵＥの動作フローの一例を示すフロー図である。
【図１８】第６実施形態に係る動作シーケンスの一例を示すシーケンス図である。
【図１９】第６実施形態の変更例１に係る動作シーケンスの一例を示すシーケンス図である。
【図２０】第８実施形態の動作概要を説明するための図である。
【図２１】第８実施形態に係る動作シーケンスの一例を示す図である。
【図２２】第９実施形態に係るＯｐｔｉｏｎ  ３Ｃ（第１の機能）を説明するための図である。
【図２３】第９実施形態に係るＯｐｔｉｏｎ  ２Ｃ（第２の機能）を説明するための図である。
【図２４】第９実施形態に係る能力情報の取得動作を説明するための図である。
【図２５】第９実施形態に係るＲＲＣ（再）設定動作を説明するための図である。
【図２６】第１０実施形態に係るＴＥの配置例１を示す図である。
【図２７】第１０実施形態に係るＴＥの配置例２を示す図である。
【図２８】第１０実施形態に係るＴＥの配置例３を示す図である。
【図２９】Ｎｏｎ−ｃｏｌｌｏｃａｔｅｄシナリオ３の変更例を示す図である。
【図３０】付記に係る図である。
【図３１】付記に係る図である。
【図３２】付記に係る図である。
【図３３】付記に係る図である。
【図３４】付記に係る図である。
【図３５】付記に係る図である。
【図３６】付記に係る図である。
【発明を実施するための形態】
【００１８】
［実施形態の概要］
実施形態は、ＷＷＡＮ・ＷＬＡＮアグリゲーション（若しくは高度化インターワーキング技術）により効率的な通信を実現可能とすることを目的とする。
【００１９】
第１実施形態に係る無線端末は、ＷＷＡＮ通信及びＷＬＡＮ通信を同時に使用したＷＷＡＮ・ＷＬＡＮアグリゲーション通信が可能な無線端末である。前記無線端末は、前記ＷＷＡＮ・ＷＬＡＮアグリゲーション通信の実行中に、前記ＷＬＡＮ通信の測定結果に関するＷＬＡＮ測定情報を前記ＷＷＡＮ通信により特定の基地局に送信する送信部を備える。
【００２０】
第１実施形態において、前記特定の基地局は、前記無線端末における前記ＷＷＡＮ・ＷＬＡＮアグリゲーション通信の設定の解放、変更、及び使用停止のうち少なくとも１つを制御する基地局である。
【００２１】
第１実施形態において、前記ＷＷＡＮ通信は、マスタ基地局及びセカンダリ基地局との二重接続を使用する二重接続通信である。前記特定の基地局は、前記マスタ基地局である。
【００２２】
第２実施形態において、前記特定の基地局は、前記無線端末の１つのベアラを前記ＷＷＡＮ通信用の第１のベアラ及び前記ＷＬＡＮ通信用の第２のベアラに分割するとともに、前記第１のベアラと前記第２のベアラとの間のデータ割り振りを行う基地局である。
【００２３】
第２実施形態において、前記ＷＷＡＮ通信は、マスタ基地局及びセカンダリ基地局との二重接続を使用する二重接続通信である。前記特定の基地局は、前記マスタ基地局又は前記セカンダリ基地局である。
【００２４】
第１実施形態及び第２実施形態において、前記送信部は、前記ＷＷＡＮ通信の物理層仕様で規定された物理層シグナリングにより、前記ＷＬＡＮ測定情報を前記特定の基地局に送信する。
【００２５】
第１実施形態の変更例において、前記送信部は、前記ＷＷＡＮ通信のＲＲＣ層仕様で規定されたＲＲＣシグナリングにより、前記ＷＬＡＮ測定情報を前記特定の基地局に送信する。
【００２６】
第１実施形態及び第２実施形態において、前記ＷＬＡＮ測定情報は、ＷＬＡＮチャネル品質パラメータを含む。
【００２７】
第１実施形態及び第２実施形態において、前記ＷＬＡＮ測定情報は、ＷＬＡＮ混雑度パラメータを含む。
【００２８】
第１実施形態及び第２実施形態に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報を前記ＷＷＡＮ通信により前記無線端末から受信する受信部を備える。
【００２９】
第１実施形態において、前記基地局は、前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する制御部を備える。
【００３０】
第２実施形態において、前記無線端末の１つのベアラを前記ＷＷＡＮ通信用の第１のベアラ及び前記ＷＬＡＮ通信用の第２のベアラに分割するとともに、前記ＷＬＡＮ測定情報に基づいて前記第１のベアラと前記第２のベアラとの間のデータ割り振りを行う制御部を備える。
【００３１】
第３実施形態に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報を取得するＷＬＡＮ通信部と、前記ＷＬＡＮ測定情報に基づいて、前記ＷＷＡＮ・ＷＬＡＮアグリゲーション通信を制御する制御部と、を備える。
【００３２】
第３実施形態において、前記制御部は、前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する。
【００３３】
第３実施形態において、前記制御部は、前記無線端末の１つのベアラを前記ＷＷＡＮ通信用の第１のベアラ及び前記ＷＬＡＮ通信用の第２のベアラに分割するとともに、前記ＷＬＡＮ測定情報に基づいて前記第１のベアラと前記第２のベアラとの間のデータ割り振りを行う。
【００３４】
第４実施形態に係る基地局は、ＷＷＡＮ通信及びＷＬＡＮ通信を同時に使用して無線端末との通信を行うＷＷＡＮ・ＷＬＡＮアグリゲーション通信が可能なネットワークに設けられる。前記基地局は、前記ＷＷＡＮ・ＷＬＡＮアグリゲーション通信の実行中に、前記ＷＬＡＮ通信の測定結果に関するＷＬＡＮ測定情報をＷＬＡＮノードから取得する制御部を備える。前記制御部は、前記ＷＬＡＮ測定情報に基づいて、前記ＷＷＡＮ・ＷＬＡＮアグリゲーション通信を制御する。
【００３５】
第４実施形態において、前記制御部は、前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する。
【００３６】
第４実施形態において、前記制御部は、前記無線端末の１つのベアラを前記ＷＷＡＮ通信用の第１のベアラ及び前記ＷＬＡＮ通信用の第２のベアラに分割するとともに、前記ＷＬＡＮ測定情報に基づいて前記第１のベアラと前記第２のベアラとの間のデータ割り振りを行う。
【００３７】
第５実施形態に係る無線端末は、ＷＷＡＮ通信及びＷＬＡＮ通信を同時に使用したＷＷＡＮ・ＷＬＡＮアグリゲーション通信が可能な無線端末である。前記無線端末は、上りデータ送信に前記ＷＷＡＮ通信を適用する第１のベアラ及び上りデータ送信に前記ＷＬＡＮ通信を適用する第２のベアラを選択する制御部と、前記第１のベアラの上りデータを前記ＷＷＡＮ通信により送信し、前記第２のベアラの上りデータを前記ＷＬＡＮ通信により送信する送信部と、を備える。
【００３８】
第５実施形態において、前記無線端末は、前記無線端末のベアラについて前記ＷＷＡＮ通信を適用するか又は前記ＷＬＡＮ通信を適用するかを示す制御情報を、特定の基地局から前記ＷＷＡＮ通信により受信する受信部をさらに備える。前記制御部は、前記制御情報に従って、前記第１のベアラ及び前記第２のベアラを選択する。
【００３９】
第５実施形態において、前記受信部は、前記ＷＷＡＮ通信のＰＤＣＰ層仕様で規定されたＰＤＣＰ層シグナリングにより、前記制御情報を前記特定の基地局から受信する。
【００４０】
第５実施形態において、前記ＷＷＡＮ通信は、マスタ基地局及びセカンダリ基地局との二重接続を使用する二重接続通信である。前記特定の基地局は、前記セカンダリ基地局である。
【００４１】
第５実施形態において、前記制御部は、基地局からの制御情報に基づくことなく、前記第１のベアラ及び前記第２のベアラを選択する。
【００４２】
第６実施形態に係る基地局は、無線端末のベアラが他の基地局により２つのベアラに分割されており、前記２つのベアラのうち一方のベアラを介して前記他の基地局から下りデータが転送される基地局である。前記基地局は、前記一方のベアラを介して前記他の基地局から転送された前記下りデータの中から、ＷＷＡＮ通信により前記無線端末に送信する第１の下りデータ及び前記ＷＬＡＮ通信により前記無線端末に送信する第２の下りデータを選択する制御部と、前記第１の下りデータを前記ＷＷＡＮ通信により前記無線端末に送信するＷＷＡＮ通信部と、前記第２の下りデータを前記ＷＬＡＮ通信により前記無線端末に送信するＷＬＡＮ通信部と、を備える。
【００４３】
第６実施形態において、前記制御部は、前記他の基地局からの制御情報に基づくことなく、前記第１の下りデータと前記第２の下りデータとを自律的に選択する。
【００４４】
第６実施形態において、前記制御部は、前記ＷＬＡＮ通信のチャネル状態に基づいて、前記第１の下りデータと前記第２の下りデータとを自律的に選択する。
【００４５】
第６実施形態において、前記制御部は、前記第１の下りデータのバッファ蓄積量と前記第２の下りデータのバッファ蓄積量との合計を前記他の基地局に通知する。
【００４６】
第６実施形態において、前記制御部は、前記他の基地局からの制御情報に基づいて、前記第１の下りデータと前記第２の下りデータとを選択する。前記制御部は、前記第１の下りデータのバッファ蓄積量と前記第２の下りデータのバッファ蓄積量とを個別に前記他の基地局に通知する。
【００４７】
第６実施形態において、前記制御部は、前記ＷＬＡＮ通信を停止又は再開した場合、前記他の基地局から自基地局に転送可能なデータ量に関する情報を前記他の基地局に通知する。
【００４８】
第７実施形態に係る基地局は、他の基地局との直接的なインターフェイスを有するとともに、ＷＬＡＮノードとの直接的なインターフェイスを有する基地局である。前記基地局は、無線端末の第１のベアラ及び第２のベアラのそれぞれを２つに分割し、前記第１のベアラの一方の分割ベアラを介して前記他の基地局に下りデータを転送し、前記第２のベアラの一方の分割ベアラを介して前記ＷＬＡＮノードに下りデータを転送するデータ転送部と、前記第１のベアラの他方の分割ベアラを介して前記無線端末に下りデータを送信し、前記第２のベアラの他方の分割ベアラを介して前記無線端末に下りデータを送信するデータ送信部と、を備える。
【００４９】
第８実施形態に係る基地局は、他の基地局との直接的なインターフェイスを有するとともに、ＷＬＡＮノードとの直接的なインターフェイスを有する基地局である。前記基地局は、無線端末の１つのベアラを２つに分割し、前記１つのベアラの一方の分割ベアラを介して前記他の基地局に下りデータを転送するデータ転送部と、前記１つのベアラの他方の分割ベアラを介して前記無線端末に下りデータを送信するデータ送信部と、前記１つのベアラの新たな分割ベアラを前記ＷＬＡＮノードと構築し、前記一方の分割ベアラを解放する制御部と、を備える。前記データ転送部は、前記他の基地局へのデータ転送を停止し、前記新たな分割ベアラを介して前記ＷＬＡＮノードに下りデータを転送する。
【００５０】
第９実施形態に係る基地局は、無線端末がＷＷＡＮ通信及びＷＬＡＮ通信を同時に使用して通信を行うＷＷＡＮ・ＷＬＡＮアグリゲーション通信が可能なシステムにおける基地局である。前記基地局は、前記無線端末が有する機能を示す能力情報を取得する制御部を備える。前記ＷＷＡＮ通信のＰＤＣＰ層において前記無線端末のベアラを分割するとともに該ベアラの無線通信に前記ＷＷＡＮ通信及び前記ＷＬＡＮ通信を使用する第１の機能と、前記ＰＤＣＰ層を経由する前記ベアラを分割せずに該ベアラの無線通信に前記ＷＬＡＮ通信のみを使用する第２の機能と、が規定されている。前記制御部は、前記第１の機能の能力情報とは別の情報として、前記第２の機能の能力情報を取得する。
【００５１】
第９実施形態において、前記第２の機能が設定されるベアラには、送達確認モード及び非達確認モードが許容される。前記第１の機能が設定されるベアラには、送達確認モードのみが許容される。
【００５２】
第９実施形態において、前記制御部は、前記第１の機能及び前記第２の機能の両方を有する前記無線端末に対して、前記第１の機能が設定されたベアラ及び前記第２の機能が設定されたベアラの両方を設定する。
【００５３】
第９実施形態において、前記制御部は、前記第１の機能及び前記第２の機能の両方を有する前記無線端末に対して、前記第１の機能と前記第２の機能との間でベアラの設定を変更するための変更情報を送信する処理を行う。
【００５４】
第９実施形態において、前記ベアラの設定を前記第２の機能から前記第１の機能に変更する場合において、前記制御部は、前記第１の機能のための設定情報を前記変更情報と共に送信する処理を行う。
【００５５】
第９実施形態に係る無線端末は、ＷＷＡＮ通信及びＷＬＡＮ通信を同時に使用して通信を行うＷＷＡＮ・ＷＬＡＮアグリゲーション通信が可能な無線端末である。前記無線端末は、前記無線端末が有する機能を示す能力情報を基地局に通知する制御部を備える。前記ＷＷＡＮ通信のＰＤＣＰ層において前記無線端末のベアラを分割するとともに該ベアラの無線通信に前記ＷＷＡＮ通信及び前記ＷＬＡＮ通信を使用する第１の機能と、前記ＰＤＣＰ層を経由する前記ベアラを分割せずに該ベアラの無線通信に前記ＷＬＡＮ通信のみを使用する第２の機能と、が規定されている。前記制御部は、前記第１の機能の能力情報とは別の情報として、前記第２の機能の能力情報を通知する。
【００５６】
第１０実施形態に係る無線通信装置は、ＷＷＡＮ通信及びＷＬＡＮ通信を同時に使用して通信を行うＷＷＡＮ・ＷＬＡＮアグリゲーション通信が可能なシステムにおける無線通信装置である。前記無線通信装置は、前記ＷＷＡＮ通信のＰＤＣＰ層からＷＬＡＮ通信エンティティにデータが転送される場合において、前記ＰＤＣＰ層よりも下位のＷＷＡＮ下位層に期待される機能が前記ＰＤＣＰ層に提供されるように、前記ＷＬＡＮ通信エンティティの機能を補完する制御を行う制御部を備える。
【００５７】
第１０実施形態において、前記ＷＬＡＮ通信エンティティは、前記ＰＤＣＰ層から転送された前記データを前記ＷＬＡＮ通信により送信する処理を行う。前記制御部は、前記ＷＬＡＮ通信エンティティにおけるデータ送信状況を監視することにより、前記ＰＤＣＰ層が解釈可能な送信完了通知を前記ＰＤＣＰ層に提供する。
【００５８】
第１０実施形態において、前記制御部は、前記ＷＷＡＮ通信における非達確認モードが設定されたベアラのデータが前記ＰＤＣＰ層から前記ＷＬＡＮ通信エンティティに転送される場合において、前記ＷＬＡＮ通信における非達確認モードで前記ＷＬＡＮ通信エンティティを動作させる。
【００５９】
第１０実施形態において、前記制御部は、前記ＷＷＡＮ通信のＲＲＣ層から前記ＷＬＡＮ通信の再確立を指示された場合において、前記ＷＬＡＮ通信エンティティに保持されている前記データの破棄、及び前記ＷＬＡＮ通信エンティティに設定されているパラメータの初期化のうち、少なくとも一方を行う。
【００６０】
第１０実施形態において、前記制御部は、前記ＷＬＡＮ通信における二重データ破棄動作を行うように前記ＷＬＡＮ通信エンティティを動作させる。
【００６１】
第１０実施形態において、前記無線通信装置は、前記ＰＤＣＰ層を有する基地局である。前記ＷＬＡＮ通信エンティティは、前記基地局又はＷＬＡＮノードに設けられる。
【００６２】
第１０実施形態において、前記無線通信装置は、前記ＷＬＡＮ通信エンティティを有するＷＬＡＮノードである。
【００６３】
第１０実施形態において、前記無線通信装置は、前記ＰＤＣＰ層及び前記ＷＬＡＮ通信エンティティを有する無線端末である。
【００６４】
［移動通信システム］
以下において、第１実施形態乃至第１０実施形態に係る移動通信システムであるＬＴＥシステムについて説明する。
【００６５】
（移動通信システムの概要）
図１は、第１実施形態乃至第１０実施形態に係るＬＴＥシステム（移動通信システム）の構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００６６】
ＵＥ１００は、無線端末に相当する。ＵＥ１００は、移動型の通信装置であり、セル（サービングセル）との無線通信を行う。第１実施形態乃至第１０実施形態において、ＵＥ１００は、ＬＴＥ通信（ＷＷＡＮ通信）及びＷLＡＮ通信の両通信方式をサポートする。ＵＥ１００の構成については後述する。
【００６７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００６８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００６９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００７０】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００７１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００７２】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００７３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００７４】
ＰＤＣＰ層は、ヘッダ圧縮・伸張、及び暗号化・復号化を行う。
【００７５】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００７６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００７７】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００７８】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００７９】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００８０】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００８１】
（二重接続）
第１実施形態乃至第８実施形態に係るＬＴＥシステムは、「Ｄｕａｌ  Ｃｏｎｎｅｃｔｉｖｉｔｙ」（二重接続）をサポートする。以下において、「Ｄｕａｌ  Ｃｏｎｎｅｃｔｉｖｉｔｙ」の概要について説明する。
【００８２】
「Ｄｕａｌ  Ｃｏｎｎｅｃｔｉｖｉｔｙ」において、ＵＥ１００との接続を確立する複数のｅＮＢ２００のうち、マスタｅＮＢ（ＭｅＮＢ）のみが当該ＵＥ１００とのＲＲＣ接続を確立する。これに対し、当該複数のｅＮＢ２００のうちセカンダリｅＮＢ（ＳｅＮＢ）は、ＲＲＣ接続をＵＥ１００と確立せずに、追加的な無線リソースをＵＥ１００に提供する。言い換えると、ＭｅＮＢは、ユーザプレーン接続だけでなく制御プレーン接続をＵＥ１００と確立する。これに対し、ＳｅＮＢは、制御プレーン接続をＵＥ１００と確立せずに、ユーザプレーン接続をＵＥ１００と確立する。ＭｅＮＢとＳｅＮＢとの間の通信にはＸ２インターフェイスが使用される。
【００８３】
ＵＥ１００は、ＭｅＮＢが管理するＮ個のセル及びＳｅＮＢが管理するＭ個のセルを同時に利用したキャリアアグリゲーションが可能である。ＵＥ１００のサービングセルの最大数、すなわち、（Ｎ＋Ｍ）の最大数は、例えば５である。ＭｅＮＢが管理するＮ個のセルからなるグループは、マスタセルグループ（ＭＣＧ）と称される。また、ＳｅＮＢが管理するＭ個のセルからなるグループは、セカンダリセルグループ（ＳＣＧ）と称される。
【００８４】
（設置シナリオ）
第１実施形態乃至第１０実施形態に係るＬＴＥシステムは、ＬＴＥ・ＷＬＡＮアグリゲーション（ＷＷＡＮ・ＷＬＡＮアグリゲーション）をサポートする。ＵＥ１００は、ＬＴＥ通信及びＷＬＡＮ通信を同時に使用してデータをネットワークと送受信する。ＷＬＡＮ通信は、ＩＥＥＥ８０２．１１規格に基づく通信方式であってもよい。以下において、主として下り（下りリンク）について説明するが、本発明は下りに限定されるものではない。
【００８５】
第１実施形態乃至第１０実施形態に係るＬＴＥシステムにおいて、ＷＬＡＮノードは、ｅＮＢ２００と共同設置（Ｃｏｌｌｏｃａｔｅｄ）される。この場合、ｅＮＢ２００は、ＷＬＡＮ機能（ＷＬＡＮ通信部）を有する。
【００８６】
或いは、ＷＬＡＮノードは、ｅＮＢ２００と個別設置（Ｎｏｎ−ｃｏｌｌｏｃａｔｅｄ）される。この場合、ｅＮＢ２００は、ＷＬＡＮノードとの間に直接的なインターフェイスを有する。このような直接的なインターフェイスは、「ＸＷインターフェイス」と称されてもよい。ＷＬＡＮノードは、ＷＬＡＮアクセスポイント（ＷＬＡＮ  ＡＰ）である。ＷＬＡＮノードは、ＷＬＡＮアクセスポイントの制御装置であるＷＬＡＮアクセスコントローラ（ＷＬＡＮ  ＡＣ）を含んでもよい。
【００８７】
図４は、ｅＮＢ２００及びＷＬＡＮノード５００の設置シナリオの概要を示す図である。ここでは、「Ｄｕａｌ  Ｃｏｎｎｅｃｔｉｖｉｔｙ」を考慮した設置シナリオを説明する。
【００８８】
図４に示すように、ＭｅＮＢ（マスタ基地局）２００Ｍは、Ｓ１−Ｕインターフェイスを介してＳ−ＧＷ３００と接続されている。Ｎｏｎ−ｃｏｌｌｏｃａｔｅｄシナリオの場合、ＭｅＮＢ２００Ｍには、ＸＷインターフェイスを介してＷＬＡＮノード５００−１が接続される。Ｃｏｌｌｏｃａｔｅｄシナリオの場合、ＭｅＮＢ２００Ｍは、ＷＬＡＮ機能を有する。
【００８９】
ＳｅＮＢ（セカンダリ基地局）２００Ｓは、Ｓ１−Ｕインターフェイスを介してＳ−ＧＷ３００と接続され、Ｘ２−Ｕインターフェイスを介してＭｅＮＢ２００Ｍと接続されている。Ｎｏｎ−ｃｏｌｌｏｃａｔｅｄシナリオの場合、ＳｅＮＢ２００Ｓには、ＸＷインターフェイスを介してＷＬＡＮノード５００−２が接続される。Ｃｏｌｌｏｃａｔｅｄシナリオの場合、ＳｅＮＢ２００Ｓは、ＷＬＡＮ機能を有する。
【００９０】
（１）Ｃｏｌｌｏｃａｔｅｄシナリオ
以下において、Ｃｏｌｌｏｃａｔｅｄ（共同設置）シナリオの具体例について説明する。
【００９１】
（１．１）Ｃｏｌｌｏｃａｔｅｄシナリオ１
図５は、Ｃｏｌｌｏｃａｔｅｄシナリオ１を示す図である。図５（Ａ）はユーザプレーンの接続関係を示し、図５（Ｂ）はユーザプレーンのプロトコルスタックを示す。なお、以下のユーザプレーンのプロトコルスタックにおいては、ＲＲＣ層の図示を省略していることに留意すべきである。
【００９２】
図５（Ａ）に示すように、Ｃｏｌｌｏｃａｔｅｄシナリオ１において、ｅＮＢ２００は、ＷＬＡＮ機能を有する。ｅＮＢ２００は、Ｓ１−Ｕインターフェイスを介してＳ−ＧＷ３００と接続される。
【００９３】
図５（Ｂ）に示すように、ｅＮＢ２００は、ＬＴＥプロトコルのエンティティとＷＬＡＮプロトコルのエンティティとを有する。ここでは、ＵＥ１００とＳ−ＧＷ３００との間に２つのベアラ（Ｅ−ＲＡＢ：Ｅ−ＵＴＲＡＮ  Ｒａｄｉｏ  Ａｃｃｅｓｓ  Ｂｅａｒｅｒ）が確立されている場合を想定する。
【００９４】
一方のベアラ＃１の下りデータは、ＰＤＣＰ層＃１、ＲＬＣ層＃１、及びＭＡＣ層の各エンティティにより処理され、図示を省略するＬＴＥ物理層を介してＵＥ１００に送信される。
【００９５】
他方のベアラ＃２は、ＰＤＣＰ層＃２により２つに分割（スプリット）されている。ベアラ＃２の一方の分割ベアラの下りデータは、ＲＬＣ層＃２及びＭＡＣ層の各エンティティにより処理され、図示を省略するＬＴＥ物理層を介してＵＥ１００に送信される。これに対し、ベアラ＃２の他方の分割ベアラの下りデータは、ＷＬＡＮ  ＭＡＣ層により処理され、図示を省略するＷＬＡＮ物理層を介してＵＥ１００に送信される。
【００９６】
（１．２）Ｃｏｌｌｏｃａｔｅｄシナリオ２
図６は、Ｃｏｌｌｏｃａｔｅｄシナリオ２を示す図である。Ｃｏｌｌｏｃａｔｅｄシナリオ２は、「Ｄｕａｌ  Ｃｏｎｎｅｃｔｉｖｉｔｙ」を想定したシナリオである。図６（Ａ）はユーザプレーンの接続関係を示し、図６（Ｂ）はユーザプレーンのプロトコルスタックを示す。
【００９７】
図６（Ａ）に示すように、Ｃｏｌｌｏｃａｔｅｄシナリオ２において、ＳｅＮＢ２００Ｓは、ＷＬＡＮ機能を有する。ＭｅＮＢ２００Ｍ及びＳｅＮＢ２００Ｓのそれぞれは、Ｓ１−Ｕインターフェイスを介してＳ−ＧＷ３００と接続される。ＭｅＮＢ２００Ｍ及びＳｅＮＢ２００Ｓは、Ｘ２−Ｕインターフェイスを介して相互に接続される。
【００９８】
図６（Ｂ）に示すように、ＭｅＮＢ２００Ｍは、ＬＴＥプロトコルのエンティティを有する。ＳｅＮＢ２００Ｓは、ＬＴＥプロトコルのエンティティとＷＬＡＮプロトコルのエンティティとを有する。ここでは、ＵＥ１００とＳ−ＧＷ３００との間に２つのベアラ＃１，＃２が確立されている場合を想定する。
【００９９】
一方のベアラ＃１の下りデータは、ＭｅＮＢ２００Ｍにおいて、ＰＤＣＰ層＃１、ＲＬＣ層＃１、及びＭＡＣ層の各エンティティにより処理され、図示を省略するＬＴＥ物理層を介してＵＥ１００に送信される。
【０１００】
他方のベアラ＃２は、ＭｅＮＢ２００Ｍにおいて、ＰＤＣＰ層＃２により２つに分割（スプリット）されている。ベアラ＃２の一方の分割ベアラの下りデータは、ＲＬＣ層＃２及びＭＡＣ層の各エンティティにより処理され、図示を省略するＬＴＥ物理層を介してＵＥ１００に送信される。
【０１０１】
これに対し、ベアラ＃２の他方の分割ベアラは、ＳｅＮＢ２００Ｓを介して確立される。ＳｅＮＢ２００Ｓにおいて、ベアラ＃２の他方の分割ベアラの下りデータは、一部がＲＬＣ層＃３及びＭＡＣ層＃２により処理され、残りがＷＬＡＮ  ＭＡＣ層により処理される。ＲＬＣ層＃３及びＭＡＣ層＃２により処理された下りデータは、図示を省略するＬＴＥ物理層を介してＵＥ１００に送信される。ＷＬＡＮ  ＭＡＣ層により処理された下りデータは、図示を省略するＷＬＡＮ物理層を介してＵＥ１００に送信される。
【０１０２】
Ｃｏｌｌｏｃａｔｅｄシナリオ２において、ＳｅＮＢ２００ＳがＬＴＥ通信により送信する下りデータとＷＬＡＮ通信により送信する下りデータとを決定する方法については、第６実施形態において説明する。
【０１０３】
（２）Ｎｏｎ−ｃｏｌｌｏｃａｔｅｄシナリオ
以下において、Ｎｏｎ−ｃｏｌｌｏｃａｔｅｄ（非共同設置）シナリオの具体例について説明する。
【０１０４】
（２．１）Ｎｏｎ−ｃｏｌｌｏｃａｔｅｄシナリオ１
図７は、Ｎｏｎ−ｃｏｌｌｏｃａｔｅｄシナリオ１を示す図である。図７（Ａ）はユーザプレーンの接続関係を示し、図７（Ｂ）はユーザプレーンのプロトコルスタックを示す。
【０１０５】
図７（Ａ）に示すように、Ｎｏｎ−ｃｏｌｌｏｃａｔｅｄシナリオ１において、ｅＮＢ２００は、Ｓ１−Ｕインターフェイスを介してＳ−ＧＷ３００と接続される。ｅＮＢ２００及びＷＬＡＮノード５００は、ＸＷインターフェイスを介して相互に接続される。
【０１０６】
図７（Ｂ）に示すように、ｅＮＢ２００は、ＬＴＥプロトコルのエンティティを有する。ＷＬＡＮノード５００は、ＷＬＡＮプロトコルのエンティティを有する。ここでは、ＵＥ１００とＳ−ＧＷ３００との間に２つのベアラ＃１，＃２が確立されている場合を想定する。
【０１０７】
一方のベアラ＃１の下りデータは、ｅＮＢ２００において、ＰＤＣＰ層＃１、ＲＬＣ層＃１、及びＭＡＣ層の各エンティティにより処理され、図示を省略するＬＴＥ物理層を介してＵＥ１００に送信される。
【０１０８】
他方のベアラ＃２は、ＭｅＮＢ２００Ｍにおいて、ＰＤＣＰ層＃２により２つに分割（スプリット）されている。ベアラ＃２の一方の分割ベアラの下りデータは、ＲＬＣ層＃２及びＭＡＣ層の各エンティティにより処理され、図示を省略するＬＴＥ物理層を介してＵＥ１００に送信される。
【０１０９】
これに対し、ベアラ＃２の他方の分割ベアラは、ＷＬＡＮノード５００を介して確立される。ＷＬＡＮノード５００において、ベアラ＃２の他方の分割ベアラの下りデータは、ＷＬＡＮ  ＭＡＣ層により処理され、図示を省略するＷＬＡＮ物理層を介してＵＥ１００に送信される。
【０１１０】
（２．２）Ｎｏｎ−ｃｏｌｌｏｃａｔｅｄシナリオ２
図８は、Ｎｏｎ−ｃｏｌｌｏｃａｔｅｄシナリオ２を示す図である。Ｎｏｎ−ｃｏｌｌｏｃａｔｅｄシナリオ２は、「Ｄｕａｌ  Ｃｏｎｎｅｃｔｉｖｉｔｙ」を想定したシナリオである。図８（Ａ）はユーザプレーンの接続関係を示し、図８（Ｂ）はユーザプレーンのプロトコルスタックを示す。
【０１１１】
図８（Ａ）に示すように、Ｎｏｎ−ｃｏｌｌｏｃａｔｅｄシナリオ２において、ＭｅＮＢ２００Ｍ及びＳｅＮＢ２００Ｓのそれぞれは、Ｓ１−Ｕインターフェイスを介してＳ−ＧＷ３００と接続される。ＭｅＮＢ２００Ｍ及びＳｅＮＢ２００Ｓは、Ｘ２−Ｕインターフェイスを介して相互に接続される。ＭｅＮＢ２００Ｍには、ＸＷインターフェイスを介してＷＬＡＮノード５００が接続されている。
【０１１２】
図８（Ｂ）に示すように、ＭｅＮＢ２００Ｍ及びＳｅＮＢ２００Ｓのそれぞれは、ＬＴＥプロトコルのエンティティを有する。ＷＬＡＮノード５００は、ＷＬＡＮプロトコルのエンティティを有する。ここでは、ＵＥ１００とＳ−ＧＷ３００との間に３つのベアラ＃１乃至＃３が確立されている場合を想定する。
【０１１３】
ベアラ＃１は、ＭｅＮＢ２００Ｍにおいて、ＰＤＣＰ層＃１により２つに分割（スプリット）されている。ベアラ＃１の一方の分割ベアラの下りデータは、ＲＬＣ層＃１及びＭＡＣ層＃１の各エンティティにより処理され、図示を省略するＬＴＥ物理層を介してＵＥ１００に送信される。ベアラ＃１の他方の分割ベアラは、ＳｅＮＢ２００Ｓを介して確立される。ＳｅＮＢ２００Ｓにおいて、ベアラ＃１の他方の分割ベアラの下りデータは、ＲＬＣ層＃４及びＭＡＣ層＃２により処理され、図示を省略するＬＴＥ物理層を介してＵＥ１００に送信される。
【０１１４】
ベアラ＃２は、ＭｅＮＢ２００Ｍにおいて、ＰＤＣＰ層＃２により２つに分割（スプリット）されている。ベアラ＃２の一方の分割ベアラの下りデータは、ＲＬＣ層＃２及びＭＡＣ層＃１の各エンティティにより処理され、図示を省略するＬＴＥ物理層を介してＵＥ１００に送信される。ベアラ＃２の他方の分割ベアラは、ＷＬＡＮノード５００を介して確立される。ＷＬＡＮノード５００において、ベアラ＃２の他方の分割ベアラの下りデータは、ＷＬＡＮ  ＭＡＣ層により処理され、図示を省略するＷＬＡＮ物理層を介してＵＥ１００に送信される。
【０１１５】
ベアラ＃３の下りデータは、ＳｅＮＢ２００Ｓにおいて、ＰＤＣＰ層＃３、ＲＬＣ層＃３、及びＭＡＣ層＃２の各エンティティにより処理され、図示を省略するＬＴＥ物理層を介してＵＥ１００に送信される。
【０１１６】
（２．３）Ｎｏｎ−ｃｏｌｌｏｃａｔｅｄシナリオ３
図９は、Ｎｏｎ−ｃｏｌｌｏｃａｔｅｄシナリオ３を示す図である。Ｎｏｎ−ｃｏｌｌｏｃａｔｅｄシナリオ３は、「Ｄｕａｌ  Ｃｏｎｎｅｃｔｉｖｉｔｙ」を想定したシナリオである。図９（Ａ）はユーザプレーンの接続関係を示し、図９（Ｂ）はユーザプレーンのプロトコルスタックを示す。
【０１１７】
図９（Ａ）に示すように、Ｎｏｎ−ｃｏｌｌｏｃａｔｅｄシナリオ３において、ＭｅＮＢ２００Ｍ及びＳｅＮＢ２００Ｓのそれぞれは、Ｓ１−Ｕインターフェイスを介してＳ−ＧＷ３００と接続される。ＭｅＮＢ２００Ｍ及びＳｅＮＢ２００Ｓは、Ｘ２−Ｕインターフェイスを介して相互に接続される。ＳｅＮＢ２００Ｓには、ＸＷインターフェイスを介してＷＬＡＮノード５００が接続されている。
【０１１８】
図９（Ｂ）に示すように、ＭｅＮＢ２００Ｍ及びＳｅＮＢ２００Ｓのそれぞれは、ＬＴＥプロトコルのエンティティを有する。ＷＬＡＮノード５００は、ＷＬＡＮプロトコルのエンティティを有する。ここでは、ＵＥ１００とＳ−ＧＷ３００との間に３つのベアラ＃１乃至＃３が確立されている場合を想定する。
【０１１９】
ベアラ＃１の下りデータは、ＭｅＮＢ２００Ｍにおいて、ＰＤＣＰ層＃１、ＲＬＣ層＃１、及びＭＡＣ層＃１の各エンティティにより処理され、図示を省略するＬＴＥ物理層を介してＵＥ１００に送信される。
【０１２０】
ベアラ＃２は、ＭｅＮＢ２００Ｍにおいて、ＰＤＣＰ層＃２により２つに分割（スプリット）されている。ベアラ＃２の一方の分割ベアラの下りデータは、ＲＬＣ層＃２及びＭＡＣ層＃１の各エンティティにより処理され、図示を省略するＬＴＥ物理層を介してＵＥ１００に送信される。ベアラ＃２の他方の分割ベアラは、ＳｅＮＢ２００Ｓを介して確立される。ＳｅＮＢ２００Ｓにおいて、ベアラ＃２の他方の分割ベアラの下りデータは、ＲＬＣ層＃４及びＭＡＣ層＃２により処理され、図示を省略するＬＴＥ物理層を介してＵＥ１００に送信される。
【０１２１】
ベアラ＃３は、ＳｅＮＢ２００Ｓにおいて、ＰＤＣＰ層＃３により２つに分割（スプリット）されている。ベアラ＃３の一方の分割ベアラの下りデータは、ＲＬＣ層＃３及びＭＡＣ層＃２の各エンティティにより処理され、図示を省略するＬＴＥ物理層を介してＵＥ１００に送信される。ベアラ＃３の他方の分割ベアラは、ＷＬＡＮノード５００を介して確立される。ＷＬＡＮノード５００において、ベアラ＃３の他方の分割ベアラの下りデータは、ＷＬＡＮ  ＭＡＣ層により処理され、図示を省略するＷＬＡＮ物理層を介してＵＥ１００に送信される。
【０１２２】
［第１実施形態］
上述した移動通信システムを前提として、第１実施形態について説明する。
【０１２３】
（無線端末）
以下において、第１実施形態に係るＵＥ１００（無線端末）について説明する。図１０は、ＵＥ１００のブロック図である。図１０に示すように、ＵＥ１００は、ＬＴＥ通信部（ＷＷＡＮ通信部）１１０、ＷＬＡＮ通信部１２０、及び制御部１３０を備える。
【０１２４】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換してアンテナから送信する。受信機は、アンテナが受信するＬＴＥ無線信号をベースバンド信号（受信信号）に変換して制御部１３０に出力する。なお、ＬＴＥ通信は、ライセンスバンドにおいて行われることが一般的である。
【０１２５】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部１３０に出力する。なお、ＷＬＡＮ通信は、アンライセンスバンドにおいて行われることが一般的である。
【０１２６】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理及び上述した各種の通信プロトコルを実行してもよい。
【０１２７】
このように構成されたＵＥ１００は、ＬＴＥ通信及びＷＬＡＮ通信を同時に使用したＬＴＥ・ＷＬＡＮアグリゲーション通信が可能である。例えば、ＵＥ１００は、上述した各設置シナリオ（各Ｃｏｌｌｏｃａｔｅｄシナリオ及び各Ｎｏｎ−ｃｏｌｌｏｃａｔｅｄシナリオ）において、ＬＴＥ・ＷＬＡＮアグリゲーション通信を行う。
【０１２８】
第１実施形態において、ＷＬＡＮ通信部１２０は、ＬＴＥ・ＷＬＡＮアグリゲーション通信の実行中に、ＷＬＡＮ通信のチャネル状態を測定する。制御部１３０は、測定されたチャネル状態（測定結果）を示すＷＬＡＮ測定情報（ＷＬＡＮチャネル情報）を生成する。制御部１３０は、ＷＬＡＮ周波数帯（アンライセンスドバンド）に含まれる周波数チャネルごとにＷＬＡＮ測定情報を生成してもよい。或いは、制御部１３０は、ＷＬＡＮ周波数帯（アンライセンスドバンド）の全体的なチャネル情報を示すＷＬＡＮ測定情報を生成してもよい。ＷＬＡＮ測定情報は、ＷＬＡＮ規格（ＩＥＥＥ８０２．１１規格）で規定されたパラメータをＬＴＥ向けに変換して得られたパラメータであってもよい。ＬＴＥ通信部１１０は、ＷＬＡＮ測定情報を特定のｅＮＢ２００に送信する。第１実施形態において、制御部１３０及びＬＴＥ通信部１１０は、ＬＴＥ・ＷＬＡＮアグリゲーション通信の実行中にＷＬＡＮ測定情報を特定のｅＮＢ２００に送信する送信部を構成する。
【０１２９】
第１実施形態において、特定のｅＮＢ２００は、ＵＥ１００におけるＬＴＥ・ＷＬＡＮアグリゲーション通信の設定（ｃｏｎｆｉｇｕｒａｔｉｏｎ）の解放（ｒｅｌｅａｓｅ）、変更（ｍｏｄｉｆｙ）、及び使用停止（ｄｅａｃｔｉｖａｔｅ）のうち少なくとも１つを制御するｅＮＢ２００である。ＬＴＥ・ＷＬＡＮアグリゲーション通信の設定は、ＷＬＡＮ通信の設定を含む。例えば、上述した「Ｄｕａｌ  Ｃｏｎｎｅｃｔｉｖｉｔｙ」において、特定のｅＮＢ２００は、ＵＥ１００とのＲＲＣ接続を有するＭｅＮＢ（マスタ基地局）２００Ｍである。ＬＴＥ通信部１１０は、ＭｅＮＢ２００ＭのＭＣＧのうちプライマリセル（ＰＣｅｌｌ）にＷＬＡＮ測定情報を送信することが好ましい。
【０１３０】
ＬＴＥ通信部１１０は、ＬＴＥ通信の物理層仕様で規定された物理層シグナリングにより、ＷＬＡＮ測定情報をＭｅＮＢ２００Ｍに送信する。物理層シグナリングによりＷＬＡＮ測定情報をＭｅＮＢ２００Ｍに送信（フィードバック）することにより、動的なフィードバックが可能である。ＷＬＡＮ測定情報は、例えば、物理層仕様で規定されたＵＣＩ（Ｕｐｌｉｎｋ  Ｃｏｎｔｒｏｌ  Ｉｎｆｏｒｍａｔｉｏｎ）に含まれる。ＷＬＡＮ測定情報は、ＬＴＥ通信のチャネル状態情報（ＣＳＩ）と共に送信されてもよいし、ＬＴＥ通信のＣＳＩとは別に送信されてもよい。ＬＴＥ通信のＣＳＩとは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｅｒ  Ｍａｔｒｉｘ  Ｉｎｄｉｃａｔｏｒ）、ＲＩ（Ｒａｎｋ  Ｉｎｄｉｃａｔｏｒ）のうち少なくとも１つである。ＷＬＡＮ測定情報は、ＰＵＣＣＨ上で送信されることが好ましい。ＷＬＡＮ測定情報は、ＰＵＳＣＨ上で送信されてもよい。また、ＷＬＡＮ測定情報は、定期的（ｐｅｒｉｏｄｉｃ）に送信されてもよいし、設定されたイベントの発生をトリガ（ｅｖｅｎｔ  ｔｒｉｇｇｅｒ）として送信されてもよい。ＭｅＮＢ２００ＭからのＲＲＣシグナリングによりＷＬＡＮ測定情報のフィードバック設定を行ってもよい。このようなＲＲＣシグナリング（ＲＲＣメッセージ）は、ＷＬＡＮ向けの測定対象（ＭｅａｓＯｂｊｅｃｔ）を示す「ＭｅａｓＯｂｊｅｃｔＷＬＡＮ」もしくは「ＭｅａｓＯｂｊｅｃｔＩｅｅｅ」を含んでもよい。このようなＭｅａｓＯｂｊｅｃｔは、ＣａｒｒｉｅｒＦｒｅｑ（対応周波数帯）を指定する情報、ＩＥＥＥの仕様（ｂ／ａ／ｇ／ｎ／ａｃ…）を指定する情報、ＷＬＡＮ  ｉｄｅｎｔｉｆｉｅｒ（ＳＳＩＤ／ＢＳＳＩＤ／…）のうち少なくとも１つを含んでもよい。また、ＲＲＣシグナリング（ＲＲＣメッセージ）は、トリガを指定する情報を含んでもよい。トリガは、既存のトリガ（イベントＡ３など）でもよいし、既存のＷＬＡＮインターワーキングの「ＲＡＮ  ｒｕｌｅ」（ＲＳＲＰ／ＲＳＲＱ閾値やＷＬＡＮ負荷閾値）でもよい。
【０１３１】
ＷＬＡＮ測定情報は、ＷＬＡＮチャネル品質パラメータ（ＷＬＡＮ  Ｃｈａｎｎｅｌ  Ｑｕａｌｉｔｙ  Ｉｎｄｉｃａｔｏｒ）を含む。「ＷＬＡＮ  Ｃｈａｎｎｅｌ  Ｑｕａｌｉｔｙ  Ｉｎｄｉｃａｔｏｒ」は、例えば、ＷＬＡＮ受信電力（ＲＳＳＩなど）又はＷＬＡＮ受信品質（ＳＮＲなど）を示すパラメータである。
【０１３２】
ＷＬＡＮ測定情報は、ＷＬＡＮ混雑度パラメータ（ＷＬＡＮ  Ｃｏｎｇｅｓｔｉｏｎ  Ｉｎｄｉｃａｔｏｒ）を含んでもよい。「ＷＬＡＮ  Ｃｏｎｇｅｓｔｉｏｎ  Ｉｎｄｉｃａｔｏｒ」は、ＷＬＡＮ通信におけるキャリアセンス（ＬＢＴ：Ｌｉｓｔｅｎ  Ｂｅｆｏｒｅ  Ｔａｌｋ）により検出された干渉電力を示すパラメータであってもよいし、ＬＢＴの成功率又は失敗率を示すパラメータであってもよい。
【０１３３】
ＷＬＡＮ測定情報は、ＷＬＡＮ受信信号を正しく受信したか否かを示すＡＣＫ／ＮＡＣＫを含んでもよい。具体的には、ＷＬＡＮ受信信号の復号に成功した場合にはＡＣＫを送信し、ＷＬＡＮ受信信号の復号に失敗した場合にはＮＡＣＫを送信する。
【０１３４】
ＬＴＥ通信部１１０は、ＬＴＥ通信の物理層仕様で規定された物理層シグナリングにより、ＷＬＡＮのリソース割り当て要求（ＳＲ：Ｓｃｈｅｄｕｌｉｎｇ  Ｒｅｑｕｅｓｔ）をＭｅＮＢ２００Ｍに送信してもよい。
【０１３５】
（基地局）
以下において、第１実施形態に係るｅＮＢ２００（基地局）について説明する。図１１は、ｅＮＢ２００のブロック図である。図１１に示すように、ｅＮＢ２００は、ＬＴＥ通信部２１０、ＷＬＡＮ通信部２２０、制御部２３０、及びバックホール通信部２４０を備える。但し、Ｎｏｎ−ｃｏｌｌｏｃａｔｅｄシナリオにおいて、ｅＮＢ２００は、ＷＬＡＮ通信部２２０を備えていなくてもよい。
【０１３６】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換してアンテナから送信する。受信機は、アンテナが受信するＬＴＥ無線信号をベースバンド信号（受信信号）に変換して制御部２３０に出力する。
【０１３７】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２３０に出力する。
【０１３８】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理及び上述した各種の通信プロトコルを実行してもよい。
【０１３９】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。Ｎｏｎ−ｃｏｌｌｏｃａｔｅｄシナリオにおいて、バックホール通信部２４０は、ＸＷインターフェイスを介してＷＬＡＮノード５００と接続される。
【０１４０】
このように構成されたｅＮＢ２００は、ＬＴＥ通信及びＷＬＡＮ通信を同時に使用したＬＴＥ・ＷＬＡＮアグリゲーション通信が可能である。例えば、ｅＮＢ２００は、上述した各設置シナリオ（各Ｃｏｌｌｏｃａｔｅｄシナリオ及び各Ｎｏｎ−ｃｏｌｌｏｃａｔｅｄシナリオ）において、ＬＴＥ・ＷＬＡＮアグリゲーション通信を行う。第１実施形態において、ｅＮＢ２００が「Ｄｕａｌ  Ｃｏｎｎｅｃｔｉｖｉｔｙ」におけるＭｅＮＢ２００Ｍである場合を想定する。
【０１４１】
ｅＮＢ２００（ＭｅＮＢ２００Ｍ）において、ＬＴＥ通信部２１０は、ＵＥ１００とのＬＴＥ・ＷＬＡＮアグリゲーション通信の実行中に、ＷＬＡＮ通信のチャネル状態を示すＷＬＡＮ測定情報をＵＥ１００から受信する。第１実施形態において、ＬＴＥ通信部２１０は、ＬＴＥ・ＷＬＡＮアグリゲーション通信の実行中にＷＬＡＮ測定情報を受信する受信部に相当する。
【０１４２】
第１実施形態において、制御部２３０は、ＷＬＡＮ測定情報に基づいて、ＵＥ１００におけるＬＴＥ・ＷＬＡＮアグリゲーション通信の設定（ｃｏｎｆｉｇｕｒａｔｉｏｎ）の解放（ｒｅｌｅａｓｅ）、変更（ｍｏｄｉｆｙ）、及び使用停止（ｄｅａｃｔｉｖａｔｅ）のうち少なくとも１つを制御する。
【０１４３】
例えば、制御部２３０は、ＷＬＡＮ通信の状態が悪化したと判断した場合に、ＷＬＡＮ通信の設定を解放又は使用停止するよう制御してもよい。或いは、制御部２３０は、ＷＬＡＮ通信が適用されていたベアラをＬＴＥ通信に変更するよう制御してもよい。また、制御部２３０は、ＷＬＡＮノード５００を通過するよう２つに分割（スプリット）していたベアラについてベアラ分割を中止するよう制御してもよい。
【０１４４】
制御部２３０は、ＬＴＥ通信部２１０を介して、ＷＬＡＮ通信の設定解放、変更、又は使用停止を指示する制御信号（例えば、「ＲＲＣ  Ｃｏｎｎｅｃｔｉｏｎ  Ｒｅｃｏｎｆｉｇｕｒａｔｉｏｎ」メッセージ）をＵＥ１００に送信する。
【０１４５】
（動作シーケンスの一例）
以下において、第１実施形態に係る動作シーケンスの一例について説明する。図１２は、第１実施形態に係る動作シーケンスの一例を示すシーケンス図である。ここでは、上述したＮｏｎ−ｃｏｌｌｏｃａｔｅｄシナリオ２又は３を想定する。
【０１４６】
図１２に示すように、ステップＳ１０１において、ＭｅＮＢ２００Ｍは、ＬＴＥ通信により下りデータをＵＥ１００に送信する。また、ステップＳ１０２において、ＭｅＮＢ２００Ｍは、ＵＥ１００宛ての下りデータをバックホール通信によりＳｅＮＢ２００Ｓに転送する。
【０１４７】
ステップＳ１０３Ａ又はＳ１０３Ｂにおいて、ＭｅＮＢ２００Ｍ又はＳｅＮＢ２００Ｓは、ＵＥ１００宛ての下りデータをバックホール通信によりＷＬＡＮノード５００に転送する。ステップＳ１０４において、ＷＬＡＮノード５００は、下りデータをＷＬＡＮ通信によりＵＥ１００に送信する。
【０１４８】
ステップＳ１０５において、ＳｅＮＢ２００Ｓは、下りデータをＬＴＥ通信によりＵＥ１００に送信する。
【０１４９】
このように、「Ｄｕａｌ  Ｃｏｎｎｅｃｔｉｖｉｔｙ」を伴うＬＴＥ・ＷＬＡＮアグリゲーション通信により、ＵＥ１００には、ＭｅＮＢ２００Ｍ、ＳｅＮＢ２００Ｓ、及びＷＬＡＮノード５００のそれぞれから下りリンク無線リソースが割り当てられて、データを受信する。これにより、高速・大容量の通信が可能である。
【０１５０】
ステップＳ１０６において、ＵＥ１００は、ＷＬＡＮ測定を行う。そして、ステップＳ１０７において、ＵＥ１００は、ＷＬＡＮ測定情報をＭｅＮＢ２００Ｍに送信する。
【０１５１】
ステップＳ１０８において、ＭｅＮＢ２００Ｍは、ＷＬＡＮ測定情報に基づいて、ＵＥ１００におけるＬＴＥ・ＷＬＡＮアグリゲーション通信の設定（ｃｏｎｆｉｇｕｒａｔｉｏｎ）の解放（ｒｅｌｅａｓｅ）、変更（ｍｏｄｉｆｙ）、及び使用停止（ｄｅａｃｔｉｖａｔｅ）のうち少なくとも１つを行うか否かを判断する。これらのうち何れかを行うと判断した場合、ステップＳ１０９において、ＭｅＮＢ２００Ｍは、ＵＥ１００に制御信号を送信する。
【０１５２】
このように、第１実施形態によれば、ＬＴＥ・ＷＬＡＮアグリゲーション通信中において、ＵＥ１００のＷＬＡＮ通信の状態に応じてＬＴＥ・ＷＬＡＮアグリゲーションの設定を適切に制御することが可能となる。
【０１５３】
[第１実施形態の変更例]
第１実施形態において、ＷＬＡＮ測定情報が物理層シグナリングにより送信される一例を説明した。しかしながら、ＷＬＡＮ測定情報は、ＲＲＣシグナリングにより送信されてもよい。例えば、ＵＥ１００は、ＷＬＡＮ測定情報を「Ｍｅａｓｕｒｅｍｅｎｔ  Ｒｅｐｏｒｔ」に含めてＭｅＮＢ２００Ｍに送信する。
【０１５４】
[第２実施形態]
第２実施形態について、第１実施形態との相違点を主として説明する。
【０１５５】
（無線端末）
第２実施形態に係るＵＥ１００は、ＷＬＡＮ測定情報の送信先（特定のｅＮＢ２００）をＭｅＮＢ２００Ｍに固定するのではなく、ベアラ分割を行うｅＮＢ２００に対してＷＬＡＮ測定情報を送信する。
【０１５６】
ベアラ分割を行うｅＮＢ２００とは、ＵＥ１００の１つのベアラをＬＴＥ通信用の第１のベアラ（第１の分割ベアラ）及びＷＬＡＮ通信用の第２のベアラ（第２の分割ベアラ）に分割するとともに、第１の分割ベアラと第２の分割ベアラとの間のデータ割り振りを行うｅＮＢ２００である。
【０１５７】
例えば、Ｎｏｎ−ｃｏｌｌｏｃａｔｅｄシナリオ３（図９参照）において、ＳｅＮＢ２００ＳのＰＤＣＰ層＃３は、ベアラ＃３の第１の分割ベアラ（ＬＴＥ通信用）と第２の分割ベアラ（ＷＬＡＮ通信用）との間のデータ割り振りを行う。ＵＥ１００は、ＭｅＮＢ２００Ｍではなく、ＳｅＮＢ２００Ｓに対してＷＬＡＮ測定情報を送信する。ＵＥ１００は、ＳｅＮＢ２００ＳのＳＣＧのうちプライマリ・セカンダリセル（ＰＳＣｅｌｌ）に対してＷＬＡＮ測定情報を送信することが好ましい。
【０１５８】
但し、上述したようなＬＴＥ・ＷＬＡＮ間のデータ割り振りをＭｅＮＢ２００ＭのＰＤＣＰ層で行う場合には、ＵＥ１００は、第１実施形態と同様に、ＭｅＮＢ２００Ｍに対してＷＬＡＮ測定情報を送信する。
【０１５９】
なお、ＵＥ１００は、ＭｅＮＢ２００ＭからのＲＲＣシグナリングにより、ＳＣＧのベアラであるか又はＭＣＧのベアラであるかを設定されている。よって、ＵＥ１００は、ＳＣＧのベアラとして設定されていた「ＰＤＣＰ  ＰＤＵ」をＷＬＡＮ経由で受信した場合に、ＳｅＮＢ２００ＳのＰＤＣＰ層で分割されていたと判断することができる。或いは、ＵＥ１００は、ＭｅＮＢ２００ＭからのＲＲＣシグナリングにより、ＷＬＡＮ測定情報の送信先（フィードバック先）のｅＮＢ又はセルを設定されてもよい。
【０１６０】
（基地局）
第２実施形態に係るｅＮＢ２００は、ＵＥ１００の１つのベアラをＬＴＥ通信用の第１のベアラ（第１の分割ベアラ）及びＷＬＡＮ通信用の第２のベアラ（第２の分割ベアラ）に分割するとともに、第１の分割ベアラと第２の分割ベアラとの間のデータ割り振りを行う。ｅＮＢ２００は、ＵＥ１００からＷＬＡＮ測定情報を受信する。
【０１６１】
第２実施形態において、ｅＮＢ２００は、ＷＬＡＮ測定情報に基づいて、第１の分割ベアラと第２の分割ベアラとの間のデータ割り振りを行う。すなわち、ｅＮＢ２００は、ＷＬＡＮ測定情報に基づいて、ＬＴＥ・ＷＬＡＮ間のデータ送信比率を変更する。或いは、ｅＮＢ２００は、ＬＴＥ通信用のバッファとＷＬＡＮ通信用のバッファとが別々である場合に、各バッファのサイズや各バッファの状況に応じて、ＬＴＥ・ＷＬＡＮ間のデータ送信比率を変更してもよい。
【０１６２】
例えば、ｅＮＢ２００は、ＵＥ１００におけるＷＬＡＮ通信の状態の悪化に応じて、ＷＬＡＮ送信比率を低下させ、ＬＴＥ送信比率を上昇させるように、データ送信比率を変更する。これに対し、ｅＮＢ２００は、ＵＥ１００におけるＷＬＡＮ通信の状態の良化に応じて、ＷＬＡＮ送信比率を上昇させ、ＬＴＥ送信比率を低下させるように、データ送信比率を変更する。
【０１６３】
（動作シーケンスの一例）
以下において、第２実施形態に係る動作シーケンスの一例について説明する。図１３は、第２実施形態に係る動作シーケンスの一例を示すシーケンス図である。ここでは、上述したＮｏｎ−ｃｏｌｌｏｃａｔｅｄシナリオ３を想定する。
【０１６４】
図１３に示すように、ステップＳ２０１において、ＭｅＮＢ２００Ｍは、ＬＴＥ通信により下りデータをＵＥ１００に送信する。また、ステップＳ２０２において、ＭｅＮＢ２００Ｍは、ＵＥ１００宛ての下りデータをバックホール通信によりＳｅＮＢ２００Ｓに転送する。
【０１６５】
ステップＳ２０３において、ＳｅＮＢ２００Ｓは、自身のＰＤＣＰ層においてＬＴＥ送信向けに割り振った下りデータをＬＴＥ通信によりＵＥ１００に送信する。ステップＳ２０４において、ＳｅＮＢ２００Ｓは、自身のＰＤＣＰ層においてＷＬＡＮ送信向けに割り振った下りデータをバックホール通信によりＷＬＡＮノード５００に転送する。ステップＳ２０５において、ＷＬＡＮノード５００は、ＳｅＮＢ２００Ｓから転送された下りデータをＷＬＡＮ通信によりＵＥ１００に送信する。
【０１６６】
ステップＳ２０６において、ＵＥ１００は、ＷＬＡＮ測定を行う。そして、ステップＳ２０７において、ＵＥ１００は、ＷＬＡＮ測定情報をＳｅＮＢ２００Ｓに送信する。
【０１６７】
ステップＳ２０８において、ＳｅＮＢ２００Ｓは、ＷＬＡＮ測定情報に基づいて、ＬＴＥ・ＷＬＡＮ間のデータ送信比率を変更するように、分割ベアラ間のデータ割り振りを行う。
【０１６８】
このように、第２実施形態によれば、ＬＴＥ・ＷＬＡＮアグリゲーション通信中において、ＵＥ１００のＷＬＡＮ通信の状態に応じてＬＴＥ・ＷＬＡＮ間のデータ送信比率を適切に制御することが可能となる。
【０１６９】
[第３実施形態]
第３実施形態について、第１実施形態及び第２実施形態との相違点を主として説明する。第３実施形態は、Ｃｏｌｌｏｃａｔｅｄシナリオを想定した実施形態である。
【０１７０】
上述した第１実施形態及び第２実施形態において、ＵＥ１００がＬＴＥ通信によりＷＬＡＮ測定情報をｅＮＢ２００に送信していた。しかしながら、ＷＬＡＮ機能（ＷＬＡＮ通信部２２０）を有するｅＮＢ２００は、自身のＷＬＡＮ機能を利用してＷＬＡＮ測定情報を取得し得る。
【０１７１】
（基地局）
第３実施形態に係るｅＮＢ２００において、ＷＬＡＮ通信部２２０は、ＬＴＥ・ＷＬＡＮアグリゲーション通信の実行中に、ＷＬＡＮ通信のチャネル状態を示すＷＬＡＮ測定情報を取得する。
【０１７２】
ＷＬＡＮ通信にはＴＤＤ方式が適用されることが一般的であり、上り・下りのチャネル可逆性を有する。すなわち、上りのチャネル状態から下りのチャネル状態を推定可能である。よって、ＷＬＡＮ通信部２２０は、ＷＬＡＮ受信電力又は受信品質を測定することにより、ＷＬＡＮ測定情報を得る。
【０１７３】
或いは、ＷＬＡＮ通信にＣＳＩフィードバックの仕組みが導入されている場合、ＵＥ１００は、ＷＬＡＮ規格で規定されたＣＳＩ値に代えて、又はＷＬＡＮ規格で規定されたＣＳＩ値に加えて、ＬＴＥ規格で規定されたＷＬＡＮ測定情報をフィードバックしてもよい。ＷＬＡＮ通信部２２０は、ＵＥ１００からＷＬＡＮ測定情報を受信する。或いは、制御部２３０は、ＷＬＡＮ規格で規定されたＣＳＩ値を、ＬＴＥ規格で規定されたＷＬＡＮ測定情報に変換してもよい。
【０１７４】
制御部２３０は、ＷＬＡＮ通信部２２０により取得されたＷＬＡＮ測定情報に基づいて、ＬＴＥ・ＷＬＡＮアグリゲーション通信を制御する。例えば、制御部２３０は、第１実施形態と同様に、ＷＬＡＮ測定情報に基づいて、ＵＥ１００におけるＬＴＥ・ＷＬＡＮアグリゲーション通信の設定の解放、変更、及び使用停止のうち少なくとも１つを制御する。或いは、制御部２３０は、第２実施形態と同様に、ＷＬＡＮ測定情報に基づいて第１の分割ベアラと第２の分割ベアラとの間のデータ割り振りを行う。
【０１７５】
（動作フローの一例）
図１４は、第３実施形態に係るｅＮＢ２００の動作フローの一例を示すフロー図である。
【０１７６】
図１４に示すように、ステップＳ３０１において、ｅＮＢ２００は、ＵＥ１００とのＬＴＥ・ＷＬＡＮアグリゲーションを開始する。例えば、「ＵＥ１００とのＬＴＥ・ＷＬＡＮアグリゲーションを開始」とは、ＵＥ１００に対しＷＬＡＮをサービングセルとして追加するようにＲＲＣで設定することを指す。設定した段階ではＷＬＡＮ使用停止（ｄｅａｃｔｉｖａｔｅ）状態であってもよい。
【０１７７】
ステップＳ３０２において、ｅＮＢ２００は、ＷＬＡＮ通信のチャネル状態を示すＷＬＡＮ測定情報をＷＬＡＮ通信部２２０により取得する。
【０１７８】
ステップＳ３０３において、ｅＮＢ２００は、ＷＬＡＮ通信部２２０により取得されたＷＬＡＮ測定情報に基づいて、ＬＴＥ・ＷＬＡＮアグリゲーション通信を制御する。
【０１７９】
ステップＳ３０４において、ｅＮＢ２００は、ＬＴＥ・ＷＬＡＮアグリゲーション通信を終了するか否かを判断する。ＬＴＥ・ＷＬＡＮアグリゲーション通信を継続する場合（ステップＳ３０４：Ｎｏ）、処理がステップＳ３０２に戻る。ＬＴＥ・ＷＬＡＮアグリゲーション通信を終了する場合（ステップＳ３０４：Ｙｅｓ）、本フローを終了する。
【０１８０】
[第４実施形態]
第４実施形態について、第１実施形態乃至第３実施形態との相違点を主として説明する。第４実施形態の基本的な考え方は、第３実施形態と同様である。但し、第４実施形態は、Ｎｏｎ−ｃｏｌｌｏｃａｔｅｄシナリオを想定した実施形態である。
【０１８１】
（基地局）
第４実施形態に係るｅＮＢ２００の制御部２３０は、ＬＴＥ・ＷＬＡＮアグリゲーション通信の実行中に、ＷＬＡＮ通信のチャネル状態を示すＷＬＡＮ測定情報をＷＬＡＮノード５００から取得する。ＷＬＡＮノード５００におけるＷＬＡＮ測定情報の取得方法は、第３実施形態と同様である。
【０１８２】
制御部２３０は、ＸＷインターフェイスを介してＷＬＡＮノード５００からＷＬＡＮ測定情報を取得する。制御部２３０は、ＸＷインターフェイスを介して、ＷＬＡＮ測定情報の送信要求をＷＬＡＮノード５００に送信してもよい。
【０１８３】
なお、ＸＷインターフェイスは、例えばＷＴ（Ｗｉｒｅｌｅｓｓ  ＬＡＮ  Ｔｅｒｍｉｎａｔｉｏｎ）で終端される。ＷＴとは、ＸＷインターフェイスのＷＬＡＮ側の終端ポイントである。ＷＴは、ＷＬＡＮ測定情報を取得し、ｅＮＢ２００に送信する。ＸＷインターフェイスは、Ｎｏｎ−ｃｏｌｌｏｃａｔｅｄシナリオにおけるＷＬＡＮノード５００との通信用に設定されてもよく、既存のｅＮＢ間通信インターフェース（Ｘ２インターフェース）を用いてもよい。
【０１８４】
また、制御部２３０は、ＷＬＡＮ測定情報に基づいて、ＬＴＥ・ＷＬＡＮアグリゲーション通信を制御する。
【０１８５】
第４実施形態において、制御部は、ＷＬＡＮ測定情報に基づいて、ＵＥ１００におけるＬＴＥ・ＷＬＡＮアグリゲーション通信の設定の解放、変更、及び使用停止のうち少なくとも１つを制御する。例えば、制御部２３０は、第１実施形態と同様に、ＷＬＡＮ測定情報に基づいて、ＵＥ１００におけるＬＴＥ・ＷＬＡＮアグリゲーション通信の設定の解放、変更、及び使用停止のうち少なくとも１つを制御する。或いは、制御部２３０は、第２実施形態と同様に、ＷＬＡＮ測定情報に基づいて第１の分割ベアラと第２の分割ベアラとの間のデータ割り振りを行う。
【０１８６】
（動作フローの一例）
図１５は、第４実施形態に係るｅＮＢ２００の動作フローの一例を示すフロー図である。
【０１８７】
図１５に示すように、ステップＳ４０１において、ｅＮＢ２００は、ＵＥ１００とのＬＴＥ・ＷＬＡＮアグリゲーションを開始する。例えば、「ＵＥ１００とのＬＴＥ・ＷＬＡＮアグリゲーションを開始」とは、ＵＥ１００に対しＷＬＡＮをサービングセルとして追加するようにＲＲＣで設定することを指す。設定した段階ではＷＬＡＮ使用停止（ｄｅａｃｔｉｖａｔｅ）状態であってもよい。
【０１８８】
ステップＳ４０２において、ｅＮＢ２００は、ＷＬＡＮ通信のチャネル状態を示すＷＬＡＮ測定情報をＷＬＡＮノード５００から取得する。
【０１８９】
ステップＳ４０３において、ｅＮＢ２００は、ＷＬＡＮノード５００から取得したＷＬＡＮ測定情報に基づいて、ＬＴＥ・ＷＬＡＮアグリゲーション通信を制御する。
【０１９０】
ステップＳ４０４において、ｅＮＢ２００は、ＬＴＥ・ＷＬＡＮアグリゲーション通信を終了するか否かを判断する。ＬＴＥ・ＷＬＡＮアグリゲーション通信を継続する場合（ステップＳ４０４：Ｎｏ）、処理がステップＳ４０２に戻る。ＬＴＥ・ＷＬＡＮアグリゲーション通信を終了する場合（ステップＳ４０４：Ｙｅｓ）、本フローを終了する。
【０１９１】
[第５実施形態]
第５実施形態について、第１実施形態乃至第４実施形態との相違点を主として説明する。第１実施形態乃至第４実施形態は主として下りリンクに関する実施形態であった。これに対し、第５実施形態は、主として上りリンクに関する実施形態である。
【０１９２】
第５実施形態においては、ＳｅＮＢ２００ＳのＳＣＧ（ＬＴＥ通信）とＷＬＡＮ通信との２つの経路を介して、ＵＥ１００からＳｅＮＢ２００ＳのＰＤＣＰ層に上りデータを送信する場合を主として想定する。ＳｅＮＢ２００ＳはＲＲＣを有していないため、上りデータ経路（データパス）の設定をＲＲＣシグナリングにより行うことが困難である。
【０１９３】
（無線端末）
第５実施形態に係るＵＥ１００は、ＬＴＥ通信及びＷＬＡＮ通信を同時に使用したＬＴＥ・ＷＬＡＮアグリゲーション通信が可能なＵＥ１００である。ＵＥ１００において、制御部１３０は、上りデータ送信にＬＴＥ通信を適用する第１のベアラ及び上りデータ送信にＷＬＡＮ通信を適用する第２のベアラを選択する。ＬＴＥ通信部１１０は第１のベアラの上りデータをＬＴＥ通信により送信し、ＷＬＡＮ通信部１２０は第２のベアラの上りデータをＷＬＡＮ通信により送信する。第５実施形態において、ＬＴＥ通信部１１０及びＷＬＡＮ通信部１２０は送信部を構成する。
【０１９４】
第５実施形態において、ＬＴＥ通信部１１０は、ＵＥ１００のベアラについてＬＴＥ通信を適用するか又はＷＬＡＮ通信を適用するかを示す制御情報を、特定のｅＮＢ２００から受信する。第５実施形態において、ＬＴＥ通信部１１０は、制御情報を受信する受信部に相当する。制御部１３０は、受信した制御情報に従って、第１のベアラ及び第２のベアラを選択する。
【０１９５】
第５実施形態において、制御情報を送信する特定のｅＮＢ２００は、ＳｅＮＢ２００Ｓである。具体的には、制御情報を送信する特定のｅＮＢ２００は、ＰＤＣＰ層でのベアラ分割（上りリンクの場合、ベアラ結合）を行うＳｅＮＢ２００Ｓである。当該ＳｅＮＢ２００Ｓは、ＷＬＡＮ機能を有していてもよいし（Ｃｏｌｌｏｃａｔｅｄ）、ＷＬＡＮノード５００と接続されていてもよい（Ｎｏｎ−ｃｏｌｌｏｃａｔｅｄ）。ＰＤＣＰ層でのベアラ分割・結合においては、上述した実施形態に係るＬＴＥ・ＷＬＡＮ間のデータ比率決定方法が使用される。但し、制御情報を送信する特定のｅＮＢ２００は、ＭｅＮＢ２００Ｍであってもよい。当該ＭｅＮＢ２００Ｍは、ＰＤＣＰ層でのベアラ分割・結合を行ってもよい。
【０１９６】
ＵＥ１００のＬＴＥ通信部１１０は、ＰＤＣＰ層シグナリングにより、制御情報を特定のｅＮＢ２００から受信する。図１６は、第５実施形態に係る制御情報の一例を示す図である。当該制御情報は、ＵＥ１００のベアラごとに送受信される。
【０１９７】
図１６（Ａ）に示すように、ＰＤＣＰパケット（ＰＤＣＰ  ＰＤＵ）は、当該ＰＤＵがデータＰＤＣであるか制御ＰＤＵであるかを示す１ビットの「Ｄ／Ｃ」フィールドと、当該ＰＤＵのタイプを示す３ビットの「ＰＤＵ  Ｔｙｐｅ」フィールドと、上りリンクのデータパスを示す「ｐ」フィールドと、を有する。図１６（Ｂ）に示すように、「ＰＤＵ  Ｔｙｐｅ」フィールドは、３ビットの情報により、当該ＰＤＵのタイプを示す。
【０１９８】
第５実施形態に係るＰＤＣＰ  ＰＤＵにおいて、「Ｄ／Ｃ」フィールドには、当該ＰＤＵが制御ＰＤＵであることを示す値が設定される。また、「ＰＤＵ  Ｔｙｐｅ」フィールドには、「ＵＬ  ｄａｔａ  ｐａｔｈ」を示す「０１０」が設定される。「ｐ」フィールドには、ＬＴＥ（ＭＣＧ／ＳＣＧ）を示す「０」又はＷＬＡＮを示す「１」の何れか一方が設定される。
【０１９９】
このようなＰＤＣＰ  ＰＤＵを使用することにより、例えば、ＵＥ１００のベアラ＃１については上りデータをＳｅＮＢ２００ＳのＳＣＧ（ＬＴＥ通信）により送信させて、ＵＥ１００のベアラ＃２については上りデータをＷＬＡＮ通信により送信させるといった制御が可能となる。
【０２００】
（動作フローの一例）
図１７は、第５実施形態に係るＵＥ１００の動作フローの一例を示すフロー図である。
【０２０１】
図１７に示すように、ステップＳ５０１において、ＵＥ１００は、ＬＴＥ・ＷＬＡＮアグリゲーションを開始する。例えば、「ＵＥ１００とのＬＴＥ・ＷＬＡＮアグリゲーションを開始」とは、ＵＥ１００に対しＷＬＡＮをサービングセルとして追加するようにＲＲＣで設定することを指す。設定した段階ではＷＬＡＮ使用停止（ｄｅａｃｔｉｖａｔｅ）状態であってもよい。
【０２０２】
「ＵＬ  ｄａｔａ  ｐａｔｈ」を示す制御ＰＤＵ（ＰＤＣＰ制御情報）をＵＥ１００がＳｅＮＢ２００Ｓから受信した場合（ステップＳ５０２：Ｙｅｓ）、ステップＳ５０３において、ＵＥ１００は、当該制御ＰＤＵに含まれる「ｐ」フィールドに従って、対応するベアラに対してＬＴＥ通信又はＷＬＡＮ通信を選択する。
【０２０３】
ステップＳ５０４において、ＵＥ１００は、ＬＴＥ通信を選択したベアラ（第１のベアラ）の上りデータをＬＴＥ通信により送信し、ＷＬＡＮ通信を選択したベアラ（第２のベアラ）の上りデータをＷＬＡＮ通信により送信する。
【０２０４】
ステップＳ５０５において、ＵＥ１００は、ＬＴＥ・ＷＬＡＮアグリゲーション通信を終了するか否かを判断する。ＬＴＥ・ＷＬＡＮアグリゲーション通信を継続する場合（ステップＳ５０５：Ｎｏ）、処理がステップＳ５０２に戻る。ＬＴＥ・ＷＬＡＮアグリゲーション通信を終了する場合（ステップＳ５０５：Ｙｅｓ）、本フローを終了する。
【０２０５】
[第５実施形態の変更例]
上述した第５実施形態において、ＵＥ１００は、ｅＮＢ２００（ＳｅＮＢ２００Ｓ）からの制御ＰＤＵ（ＰＤＣＰ制御情報）に従ってベアラごとにＬＴＥ通信／ＷＬＡＮ通信を選択していた。しかしながら、ＵＥ１００は、ｅＮＢ２００からの制御情報に基づくことなく、ベアラごとにＬＴＥ通信／ＷＬＡＮ通信を自律的に選択してもよい。例えば、第１実施形態で説明したように、ＵＥ１００において得られたＷＬＡＮ測定情報に基づいて、ベアラごとにＬＴＥ通信／ＷＬＡＮ通信を選択してもよい。
【０２０６】
[第６実施形態]
第６実施形態について、第１実施形態との相違点を主として説明する。第６実施形態は、Ｃｏｌｌｏｃａｔｅｄシナリオ２（図６参照）に着目した実施形態である。
【０２０７】
（基地局）
図６に示すように、第６実施形態に係るＳｅＮＢ２００Ｓは、ＵＥ１００のベアラ＃２がＭｅＮＢ２００Ｍ（他のｅＮＢ２００）により２つのベアラに分割されており、当該２つのベアラのうち一方のベアラ（分割ベアラ）を介してＭｅＮＢ２００Ｍから下りデータが転送される。
【０２０８】
ＳｅＮＢ２００Ｓの制御部２３０は、一方の分割ベアラを介してＭｅＮＢ２００Ｍから転送された下りデータの中から、ＬＴＥ通信によりＵＥ１００に送信する第１の下りデータ（ＬＴＥ送信データ）及びＷＬＡＮ通信によりＵＥ１００に送信する第２の下りデータ（ＷＬＡＮ送信データ）を選択する。ＳｅＮＢ２００ＳのＬＴＥ通信部２１０は、第１の下りデータをＬＴＥ通信によりＵＥ１００に送信する。ＳｅＮＢ２００ＳのＷＬＡＮ通信部２２０は、第２の下りデータをＷＬＡＮ通信によりＵＥ１００に送信する。
【０２０９】
第６実施形態において、ＳｅＮＢ２００Ｓの制御部２３０は、ＭｅＮＢ２００Ｍからの制御情報に基づくことなく、例えばＷＬＡＮ通信のチャネル状態に基づいて、第１の下りデータ（ＬＴＥ送信データ）と第２の下りデータ（ＷＬＡＮ送信データ）とを自律的に選択する。ＷＬＡＮ通信のチャネル状態を把握する方法については、上述した実施形態と同様である。
【０２１０】
このように、ＳｅＮＢ２００Ｓは、ＭｅＮＢ２００Ｍから転送された下りデータを自律的にＬＴＥ送信データとＷＬＡＮ送信データとに割り振る。よって、ＭｅＮＢ２００Ｍは、ＵＥ１００宛ての下りデータをＳｅＮＢ２００Ｓに転送するだけでよく、ＬＴＥ送信データとＷＬＡＮ送信データとの割り振りをＳｅＮＢ２００Ｓに委ねることができる。ＳｅＮＢ２００Ｓは、自身のＷＬＡＮ通信及びＬＴＥ通信の状態等に応じて、ＬＴＥ送信データとＷＬＡＮ送信データとの割り振りを行うことができる。
【０２１１】
但し、ＭｅＮＢ２００ＭからＳｅＮＢ２００Ｓに転送する下りデータの量については、ＭｅＮＢ２００Ｍにおいて調整が必要である。よって、ＳｅＮＢ２００Ｓの制御部２３０は、ＬＴＥ送信データのバッファ蓄積量とＷＬＡＮ送信データのバッファ蓄積量との合計（すなわち、総バッファ蓄積量）をＭｅＮＢ２００Ｍに通知する。総バッファ蓄積量は、ＵＥ１００についての総バッファ蓄積量であってもよいし、ｅＮＢ２００全体の総バッファ蓄積量であってもよい。また、総バッファ蓄積量は、特定のＥ−ＲＡＢについての総バッファ蓄積量であってもよい。さらに、総バッファ蓄積量は、バッファ量そのものではなく、バッファ量に応じて算出される、希望バッファサイズ（Ｄｅｓｉｒｅｄ  Ｂｕｆｆｅｒ  Ｓｉｚｅ）でもよい。
【０２１２】
（動作シーケンスの一例）
以下において、第６実施形態に係る動作シーケンスの一例について説明する。図１８は、第６実施形態に係る動作シーケンスの一例を示すシーケンス図である。
【０２１３】
図１８に示すように、ステップＳ６０１において、ＳｅＮＢ２００Ｓは、総バッファ蓄積量を示すバッファ通知をＭｅＮＢ２００Ｍに送信する。
【０２１４】
ステップＳ６０２において、ＭｅＮＢ２００Ｍは、下りデータをＵＥ１００に送信する。
【０２１５】
ステップＳ６０３において、ＭｅＮＢ２００Ｍは、ＳｅＮＢ２００Ｓから受信したバッファ通知に基づいて、ＵＥ１００宛ての下りデータをＳｅＮＢ２００Ｓに転送する。
【０２１６】
ステップＳ６０４において、ＳｅＮＢ２００Ｓは、自身のＷＬＡＮ通信及びＬＴＥ通信の状態等に応じて、ＬＴＥ送信データとＷＬＡＮ送信データとの割り振りを行う。
【０２１７】
ステップＳ６０５及びＳ６０６において、ＳｅＮＢ２００Ｓは、ＬＴＥ通信及びＷＬＡＮ通信により、下りデータをＵＥ１００に送信する。
【０２１８】
ステップＳ６０７において、ＳｅＮＢ２００Ｓは、総バッファ蓄積量を示すバッファ通知をＭｅＮＢ２００Ｍに送信する。以降の動作は、ステップＳ６０２乃至ステップＳ６０６と同様である。
【０２１９】
[第６実施形態の変更例１]
第６実施形態の変更例１において、ＬＴＥ送信データとＷＬＡＮ送信データとの割り振りを、ＳｅＮＢ２００Ｓの代わりにＭｅＮＢ２００Ｍが行う。具体的には、ＳｅＮＢ２００Ｓの制御部２３０は、ＭｅＮＢ２００Ｍからの制御情報に基づいて、第１の下りデータ（ＬＴＥ送信データ）と第２の下りデータ（ＷＬＡＮ送信データ）とを選択する。また、ＳｅＮＢ２００Ｓの制御部２３０は、ＬＴＥ送信データのバッファ蓄積量とＷＬＡＮ送信データのバッファ蓄積量とを個別にＭｅＮＢ２００Ｍに通知する。
【０２２０】
図１９は、第６実施形態の変更例１に係る動作シーケンスの一例を示すシーケンス図である。
【０２２１】
図１９に示すように、ステップＳ６５１において、ＳｅＮＢ２００Ｓは、ＬＴＥ送信データのバッファ蓄積量とＷＬＡＮ送信データのバッファ蓄積量とを個別に示すバッファ通知をＭｅＮＢ２００Ｍに送信する。
【０２２２】
ステップＳ６５２において、ＭｅＮＢ２００Ｍは、ＬＴＥ送信データのバッファ蓄積量とＷＬＡＮ送信データのバッファ蓄積量とに基づいて、ＳｅＮＢ２００ＳにおけるＬＴＥ送信データとＷＬＡＮ送信データとの割り振りを行う。
【０２２３】
ステップＳ６５３において、ＭｅＮＢ２００Ｍは、下りデータをＵＥ１００に送信する。
【０２２４】
ステップＳ６５４において、ＭｅＮＢ２００Ｍは、ステップＳ６５２で振り分けたＬＴＥ送信データ及びＷＬＡＮ送信データをＳｅＮＢ２００Ｓに転送する。例えば、ＭｅＮＢ２００Ｍは、各下りデータ（ＰＤＣＰ  ＰＤＵ）に、ＬＴＥ送信データ又はＷＬＡＮ送信データを示すＬＴＥ／ＷＬＡＮ識別子を付与する。或いは、ＭｅＮＢ２００Ｍは、ＬＴＥ送信データ及びＷＬＡＮ送信データの比率を示す送信比率情報をＳｅＮＢ２００Ｓに通知してもよい。
【０２２５】
ステップＳ６５５及びＳ６５６において、ＳｅＮＢ２００Ｓは、ＭｅＮＢ２００Ｍからの制御情報（ＬＴＥ／ＷＬＡＮ識別子又は送信比率情報）に基づいて、ＬＴＥ通信及びＷＬＡＮ通信により下りデータをＵＥ１００に送信する。
【０２２６】
ステップＳ６５７において、ＳｅＮＢ２００Ｓは、ＬＴＥ送信データのバッファ蓄積量とＷＬＡＮ送信データのバッファ蓄積量とを個別に示すバッファ通知をＭｅＮＢ２００Ｍに送信する。以降の動作は、ステップＳ６５２乃至ステップＳ６５６と同様である。
【０２２７】
[第６実施形態の変更例２]
第６実施形態の変更例２において、ＳｅＮＢ２００Ｓの制御部２３０は、ＷＬＡＮ通信を停止又は再開した場合、ＭｅＮＢ２００Ｍから自ＳｅＮＢ２００Ｓに転送可能なデータ量に関する情報をＭｅＮＢ２００Ｍに通知する。
【０２２８】
ＳｅＮＢ２００Ｓの制御部２３０は、ＷＬＡＮ通信の停止（ｄｅａｃｔｉｖａｔｅ）又は再開（ａｃｔｉｖａｔｅ）を、ＭＡＣ層シグナリングであるＭＡＣ制御要素（ＭＡＣ  ＣＥ）によりＵＥ１００に通知してもよい。或いは、ＳｅＮＢ２００Ｓの制御部２３０は、ＷＬＡＮ通信の停止（ｄｅａｃｔｉｖａｔｅ）又は再開（ａｃｔｉｖａｔｅ）を、ＰＤＣＰの制御ＰＤＵによりＵＥ１００に通知してもよい。
【０２２９】
自ＳｅＮＢ２００Ｓに転送可能なデータ量に関する情報とは、ＳｅＮＢ２００Ｓの送信バッファに関する情報である。ＳｅＮＢ２００Ｓの制御部２３０は、ＬＴＥ送信データのバッファ蓄積量とＷＬＡＮ送信データのバッファ蓄積量とを個別に示すバッファ通知をＭｅＮＢ２００Ｍに送信してもよい。或いは、総バッファ蓄積量を示すバッファ通知をＭｅＮＢ２００Ｍに送信してもよい。
【０２３０】
ＭｅＮＢ２００Ｍは、ＳｅＮＢ２００Ｓからのバッファ通知に基づいて、ＳｅＮＢ２００Ｓを解放する処理を行う。すなわち、「Ｄｕａｌ  Ｃｏｎｎｅｃｔｉｖｉｔｙ」を終了する。ＭｅＮＢ２００Ｍは、ＳｅＮＢ２００Ｓに解放要求を送信するとともに、ＳｅＮＢ２００Ｓを解放する旨の制御信号（「ＲＲＣ  Ｃｏｎｎｅｃｔｉｏｎ  Ｒｅｃｏｎｆｉｇｕｒａｔｉｏｎ」メッセージ）をＵＥ１００に送信する。或いは、ＭｅＮＢ２００Ｍは、ＳｅＮＢ２００Ｓへのデータ転送を中止するように、ベアラの分割を終了してもよい。
【０２３１】
[第７実施形態]
第７実施形態について、第１実施形態乃至第６実施形態との相違点を主として説明する。第７実施形態は、Ｎｏｎ−ｃｏｌｌｏｃａｔｅｄシナリオ２（図８参照）に着目した実施形態である。
【０２３２】
図８に示すように、第７実施形態に係るＭｅＮＢ２００Ｍは、ＳｅＮＢ２００Ｓ（他のｅＮＢ２００）との直接的なインターフェイスであるＸ２−Ｕインターフェイスを有するとともに、ＷＬＡＮノード５００との直接的なインターフェイスであるＸＷインターフェイスを有する。
【０２３３】
ＭｅＮＢ２００Ｍは、ＵＥ１００の第１のベアラ（ベアラ＃１）及び第２のベアラ（ベアラ＃２）のそれぞれを２つに分割し、ベアラ＃１の一方の分割ベアラを介してＳｅＮＢ２００Ｓに下りデータを転送し、ベアラ＃２の一方の分割ベアラを介してＷＬＡＮノード５００に下りデータを転送するデータ転送部（ＰＤＣＰ層＃１及び＃２）を備える。また、ＭｅＮＢ２００Ｍは、ベアラ＃１の他方の分割ベアラを介してＵＥ１００に下りデータを送信し、ベアラ＃２の他方の分割ベアラを介してＵＥ１００に下りデータを送信するデータ送信部（ＲＬＣ層＃１及び＃２、ＭＡＣ層＃１）を備える。
【０２３４】
このような構成によれば、ＭｅＮＢ２００Ｍは、自身からＵＥ１００に送信を行うだけではなく、ＳｅＮＢ２００Ｓ及びＷＬＡＮノード５００の両方を活用して下りデータをＵＥ１００に送信することができるため、ＵＥ１００に対して高速・大容量の通信を提供することができる。
【０２３５】
[第８実施形態]
第８実施形態について、第１実施形態乃至第７実施形態との相違点を主として説明する。
【０２３６】
図２０は、第８実施形態の動作概要を説明するための図である。第８実施形態は、図２０（Ａ）に示す分割ベアラ構成から、図２０（Ｂ）に示す分割ベアラ構成に変更する動作に関する実施形態である。
【０２３７】
図２０（Ａ）に示すように、ＭｅＮＢ２００Ｍにおいて、ベアラ＃１がＰＤＣＰ層により２つに分割（スプリット）されている。ベアラ＃１の一方の分割ベアラの下りデータは、ＲＬＣ層＃１及びＭＡＣ層＃１の各エンティティにより処理され、図示を省略するＬＴＥ物理層を介してＵＥ１００に送信される。ベアラ＃１の他方の分割ベアラは、ＳｅＮＢ２００Ｓを介して確立される。ＳｅＮＢ２００Ｓにおいて、ベアラ＃１の他方の分割ベアラの下りデータは、ＲＬＣ層＃２及びＭＡＣ層＃２により処理され、図示を省略するＬＴＥ物理層を介してＵＥ１００に送信される。
【０２３８】
このように、第８実施形態に係るＭｅＮＢ２００Ｍは、ＳｅＮＢ２００Ｓとの直接的なインターフェイス（Ｘ２−Ｕインターフェイス）を有するとともに、ＷＬＡＮノード５００との直接的なインターフェイス（ＸＷインターフェイス）を有する。ＭｅＮＢ２００Ｍは、ＵＥ１００の１つのベアラ（ベアラ＃１）を２つに分割し、ベアラ＃１の一方の分割ベアラを介してＳｅＮＢ２００Ｓに下りデータを転送するデータ転送部（ＰＤＣＰ層）と、ベアラ＃１の他方の分割ベアラを介してＵＥ１００に下りデータを送信するデータ送信部（ＲＬＣ層＃１及びＭＡＣ層＃１）とを備える。
【０２３９】
ＭｅＮＢ２００Ｍの制御部２３０は、ベアラ＃１の新たな分割ベアラをＷＬＡＮノード５００と構築し、ＳｅＮＢ２００Ｓを経由する分割ベアラを解放する。データ転送部（ＰＤＣＰ層）は、ＳｅＮＢ２００Ｓへのデータ転送を停止し、新たな分割ベアラを介してＷＬＡＮノード５００に下りデータを転送する。その結果、図２０（Ｂ）に示すように、ベアラ＃１の新たな分割ベアラは、ＷＬＡＮノード５００を介して確立される。ＷＬＡＮノード５００において、ベアラ＃１の他方の分割ベアラの下りデータは、ＷＬＡＮ  ＭＡＣ層により処理され、図示を省略するＷＬＡＮ物理層を介してＵＥ１００に送信される。
【０２４０】
図２１は、第８実施形態に係る動作シーケンスの一例を示す図である。
【０２４１】
図２１に示すように、ステップＳ７０１及びＳ７０２において、ＭｅＮＢ２００Ｍは、ベアラ変更要求をＷＬＡＮノード５００及びＳｅＮＢ２００Ｓに送信する。具体的には、ＭｅＮＢ２００Ｍは、新たな分割ベアラの構築をＷＬＡＮノード５００に要求し、分割ベアラの解放をＳｅＮＢ２００Ｓに要求する。或いは、ＭｅＮＢ２００ＭがＳｅＮＢ２００Ｓにのみベアラ変更要求を送信し、これに応じてＳｅＮＢ２００ＳがＷＬＡＮノード５００にベアラ変更要求を送信してもよい。この場合、ＭｅＮＢ２００ＭがＳｅＮＢ２００Ｓに送信するベアラ変更要求に、ＷＬＡＮノード５００のアドレス情報を含める。ＳｅＮＢ２００Ｓは、当該アドレス情報に基づいて、ＷＬＡＮノード５００にベアラ変更要求を送信する。
【０２４２】
ステップＳ７０３において、ＷＬＡＮノード５００は、新たな分割ベアラをＭｅＮＢ２００Ｍと構築する。
【０２４３】
ステップＳ７０４において、ＭｅＮＢ２００Ｍは、ＳｅＮＢ２００Ｓへのデータ転送を停止する。また、ステップＳ７０５において、ＭｅＮＢ２００Ｍは、ＳｅＮＢ２００Ｓへ転送する最後のデータに転送終了通知（Ｅｎｄ  Ｍａｒｋｅｒ）を送信する。
【０２４４】
ステップＳ７０６において、ＳｅＮＢ２００Ｓは、ＵＥ１００へのデータ送信を完了する。また、ステップＳ７０７において、ＳｅＮＢ２００Ｓは、ＭｅＮＢ２００Ｍとの分割ベアラを解放する。そして、ＳｅＮＢ２００Ｓは、ベアラ解放をＭｅＮＢ２００Ｍに通知する（ステップＳ７０８）。
【０２４５】
ステップＳ７０９において、ＭｅＮＢ２００Ｍは、ＷＬＡＮノード５００へのデータ転送を開始する。なお、ステップＳ７０９のタイミングは、一例としてＳ７０８の後と示したが、Ｓ７０４の後であれば、どのタイミングであっても構わない。
【０２４６】
このように、第８実施形態によれば、分割ベアラの形態をシームレスに変更することができる。
【０２４７】
［第９実施形態］
第９実施形態について、第１実施形態乃至第８実施形態との相違点を主として説明する。
【０２４８】
（プロトコルアーキテクチャ）
第９実施形態においては、ＬＴＥ・ＷＬＡＮアグリゲーション（ＷＷＡＮ・ＷＬＡＮアグリゲーション）について、Ｏｐｔｉｏｎ  ３Ｃ及びＯｐｔｉｏｎ  ２Ｃの計２つのプロトコルアーキテクチャを想定する。Ｏｐｔｉｏｎ  ３Ｃは、上述したＮｏｎ−ｃｏｌｌｏｃａｔｅｄシナリオ１（図７参照）と同様のプロトコルアーキテクチャである。これに対し、Ｏｐｔｉｏｎ  ２Ｃは、上述したプロトコルアーキテクチャとは異なるものである。
【０２４９】
（１）Ｏｐｔｉｏｎ  ３Ｃ
図２２は、第９実施形態に係るＯｐｔｉｏｎ  ３Ｃ（第１の機能）を説明するための図である。
【０２５０】
図２２に示すように、ｅＮＢ２００は、ＬＴＥプロトコルのエンティティを有する。ＷＬＡＮノード５００は、ＷＬＡＮプロトコルのエンティティを有する。ここでは、ＵＥ１００とＳ−ＧＷ３００との間に２つのベアラ＃１，＃２が確立されている場合を想定する。
【０２５１】
ｅＮＢ２００において、ベアラ＃１の下りデータは、ＰＤＣＰ層＃１、ＲＬＣ層＃１、及びＭＡＣ層の各エンティティにより処理され、図示を省略するＬＴＥ物理層を介してＵＥ１００に送信される。ベアラ＃２は、ＰＤＣＰ層＃２により２つに分割されている。換言すると、ＰＤＣＰ層＃２は、各ＰＤＣＰ  ＰＤＵをＬＴＥ経路及びＷＬＡＮ経路に割り振る（ルーティング）。ベアラ＃２の一方の分割ベアラの下りデータは、ＲＬＣ層＃２及びＭＡＣ層の各エンティティにより処理され、図示を省略するＬＴＥ物理層を介してＵＥ１００に送信される。
【０２５２】
これに対し、ベアラ＃２の他方の分割ベアラは、ＷＬＡＮノード５００を介して確立される。ＷＬＡＮノード５００において、ベアラ＃２の他方の分割ベアラの下りデータは、ＷＬＡＮ  ＭＡＣ層により処理され、図示を省略するＷＬＡＮ物理層を介してＵＥ１００に送信される。
【０２５３】
ＵＥ１００において、ベアラ＃１の下りデータは、図示を省略するＬＴＥ物理層を介して受信され、ＭＡＣ層、ＲＬＣ層＃１、ＰＤＣＰ層＃１の各エンティティにより処理される。ベアラ＃２の一方の分割ベアラ（ＬＴＥ経路）の下りデータは、図示を省略するＬＴＥ物理層を介して受信され、ＭＡＣ層、ＲＬＣ層＃２、ＰＤＣＰ層＃２の各エンティティにより処理された後、上位レイヤに渡される。ベアラ＃２の他方の分割ベアラ（ＷＬＡＮ経路）の下りデータは、図示を省略するＷＬＡＮ物理層を介して受信され、ＷＬＡＮ  ＭＡＣ層により処理された後、ＰＤＣＰ層＃２に渡される。ＬＴＥ経路の下りデータ（ＰＤＣＰ  ＰＤＵ）及びＷＬＡＮ経路の下りデータ（ＰＤＣＰ  ＰＤＵ）は、ＰＤＣＰ層＃２において並べ替え処理（ＰＤＣＰリオーダリング）が施された後、上位レイヤに渡される。
【０２５４】
ここでは、下りリンクにおける動作について説明したが、上りリンクについては、下りリンクにおける動作と逆の動作を行う。すなわち、ＵＥ１００のＰＤＣＰ層＃２がベアラ＃２を２つに分割（ルーティング）し、ｅＮＢ２００のＰＤＣＰ層＃２がＰＤＣＰリオーダリングを行う。
【０２５５】
（２）Ｏｐｔｉｏｎ  ２Ｃ
図２３は、第９実施形態に係るＯｐｔｉｏｎ  ２Ｃ（第２の機能）を説明するための図である。ここでは、Ｏｐｔｉｏｎ  ３Ｃとの相違点について説明する。
【０２５６】
図２３に示すように、ベアラ＃１についての動作は、Ｏｐｔｉｏｎ  ３Ｃと同様である。
【０２５７】
ｅＮＢ２００において、ベアラ＃２は、ＰＤＣＰ層＃２により２つに分割されていない。ＰＤＣＰ層＃２は、下りデータ（ＰＤＣＰ  ＰＤＵ）をＷＬＡＮノード５００に転送する。ＷＬＡＮノード５００において、ＰＤＣＰ層＃２から転送された下りデータは、ＷＬＡＮ  ＭＡＣ層により処理され、図示を省略するＷＬＡＮ物理層を介してＵＥ１００に送信される。
【０２５８】
ＵＥ１００において、ベアラ＃２の下りデータは、図示を省略するＷＬＡＮ物理層を介して受信され、ＷＬＡＮ  ＭＡＣ層により処理された後、ＷＬＡＮ経路の下りデータ（ＰＤＣＰ  ＰＤＵ）は、ＰＤＣＰ層＃２において処理された後、上位レイヤに渡される。
【０２５９】
ここでは、下りリンクにおける動作について説明したが、上りリンクについては、下りリンクにおける動作と逆の動作を行う。
【０２６０】
（３）Ｏｐｔｉｏｎ  ３Ｃ及びＯｐｔｉｏｎ  ２Ｃの比較
Ｏｐｔｉｏｎ  ３ＣはＵＥ１００及びｅＮＢ２００の両方においてＰＤＣＰリオーダリングを必要とするが、Ｏｐｔｉｏｎ  ２ＣはＰＤＣＰリオーダリングを必要としない。このため、Ｏｐｔｉｏｎ  ３Ｃは、ＰＤＣＰリオーダリングのための大容量のバッファを必要とする。また、ＸＷインターフェイスの遅延時間に起因して、ＰＤＣＰリオーダリングに時間を要する。Ｏｐｔｉｏｎ  ２Ｃは、ＰＤＣＰリオーダリングに係る問題が発生しない。
【０２６１】
また、Ｏｐｔｉｏｎ  ２Ｃは、Ｏｐｔｉｏｎ  ３Ｃにおける特殊なケースであるとみなすこともできる。具体的には、Ｏｐｔｉｏｎ  ３Ｃにおいて、ＬＴＥ経路とＷＬＡＮ経路との間のデータ比率（ＬＴＥ経路：ＷＬＡＮ経路）を０：１００に設定することにより、Ｏｐｔｉｏｎ  ２Ｃと同様の結果になる。しかしながら、Ｏｐｔｉｏｎ  ２Ｃは大容量のリオーダリングバッファを必要としないため、ＵＥ１００に要求される性能をＯｐｔｉｏｎ  ２ＣとＯｐｔｉｏｎ  ３Ｃとで分けることが好ましい。
【０２６２】
（第９実施形態に係る動作）
第９実施形態においては、Ｏｐｔｉｏｎ  ３Ｃ及びＯｐｔｉｏｎ  ２Ｃを併存させつつ、Ｏｐｔｉｏｎ  ３Ｃ及びＯｐｔｉｏｎ  ２Ｃを個別に取り扱い可能とする。これにより、Ｏｐｔｉｏｎ  ３Ｃ及びＯｐｔｉｏｎ  ２Ｃのそれぞれのメリットを活かすことができる。また、ＵＥ１００に要求される性能をＯｐｔｉｏｎ  ２ＣとＯｐｔｉｏｎ  ３Ｃとで分けることができる。
【０２６３】
上述したように、Ｏｐｔｉｏｎ  ３Ｃ（第１の機能）は、ＬＴＥ通信のＰＤＣＰ層においてＵＥ１００のベアラを分割するとともに該ベアラの無線通信にＬＴＥ通信及びＷＬＡＮ通信を使用するものである。Ｏｐｔｉｏｎ  ２Ｃ（第２の機能）は、ＰＤＣＰ層を経由するベアラを分割せずに該ベアラの無線通信にＷＬＡＮ通信のみを使用するものである。
【０２６４】
第９実施形態において、Ｏｐｔｉｏｎ  ２Ｃが設定されるベアラには、送達確認モード（ＡＭ：Ａｃｋｎｏｗｌｅｄｇｅｄ  Ｍｏｄｅ）及び非達確認モード（ＵＭ：Ｕｎａｃｋｎｏｗｌｅｄｇｅｄ  Ｍｏｄｅ）が許容される。これに対し、Ｏｐｔｉｏｎ  ３Ｃが設定されるベアラには、ＡＭモードのみが許容される。Ｏｐｔｉｏｎ  ３Ｃは、ＰＤＣＰリオーダリングに時間を要するため、ストリーミング系のデータ（すなわち、ＵＭモードに適したデータ）に適用するべきではないからである。Ｏｐｔｉｏｎ  ２Ｃは、ＰＤＣＰリオーダリングを行わないため、ＡＭモードだけではなくＵＭモードも許容されるべきである。但し、Ｏｐｔｉｏｎ  ２Ｃの場合においても、Ｎｏｎ−Ｃｏｌｌｏｃａｔｅｄシナリオについては、ＸＷインターフェイスを経由する際の遅延が生じるため、ＵＭを設定すべきではないとも考えられる。このため、Ｏｐｔｉｏｎ  ２Ｃの場合においても、ＸＷインターフェイスを介するかどうかに応じて、ＵＭを設定可能であるかどうかをｅＮＢ２００が判断してもよい。
【０２６５】
（１）能力情報の取得動作
図２４は、第９実施形態に係る能力情報の取得動作を説明するための図である。
【０２６６】
図２４に示すように、ＵＥ１００の制御部１３０は、自身が有する機能（すなわち、自身がサポートする機能）を示す能力情報（ＵＥ−ＥＵＴＲＡ−Ｃａｐａｂｉｌｉｔｙ）をｅＮＢ２００に通知する。「ＵＥ−ＥＵＴＲＡ−Ｃａｐａｂｉｌｉｔｙ」は、ＲＲＣメッセージの一種である。
【０２６７】
ＵＥ１００の制御部１３０は、Ｏｐｔｉｏｎ  ３Ｃ（第１の機能）の能力情報とは別の情報として、Ｏｐｔｉｏｎ  ２Ｃ（第２の機能）の能力情報を通知する。換言すると、「ＵＥ−ＥＵＴＲＡ−Ｃａｐａｂｉｌｉｔｙ」は、「Ｏｐｔｉｏｎ  ３Ｃの機能を有すること」及び「Ｏｐｔｉｏｎ  ２Ｃの機能を有すること」を別々に示すことができるように構成されている。
【０２６８】
ｅＮＢ２００の制御部２３０は、「ＵＥ−ＥＵＴＲＡ−Ｃａｐａｂｉｌｉｔｙ」をＵＥ１００から取得する。なお、ＵＥ１００がアタッチ状態である間は、「ＵＥ−ＥＵＴＲＡ−Ｃａｐａｂｉｌｉｔｙ」はＭＭＥ３００において保持される。このため、ｅＮＢ２００の制御部２３０は、「ＵＥ−ＥＵＴＲＡ−Ｃａｐａｂｉｌｉｔｙ」をＵＥ１００から取得することに代えて、「ＵＥ−ＥＵＴＲＡ−Ｃａｐａｂｉｌｉｔｙ」をＭＭＥ３００から取得してもよい。
【０２６９】
このように、第９実施形態に係る能力情報の取得動作によれば、ｅＮＢ２００は、ＵＥ１００がＯｐｔｉｏｎ  ３Ｃの機能及び／又はＯｐｔｉｏｎ  ２Ｃの機能を有することを把握することができる。
【０２７０】
（２）ＲＲＣ設定動作
図２５は、第９実施形態に係るＲＲＣ（再）設定動作を説明するための図である。
【０２７１】
図２５（Ａ）に示すように、ｅＮＢ２００の制御部２３０は、Ｏｐｔｉｏｎ  ３Ｃ及びＯｐｔｉｏｎ  ２Ｃの両方をサポートするＵＥ１００に対して、Ｏｐｔｉｏｎ  ３Ｃが設定されたベアラ及びＯｐｔｉｏｎ  ２Ｃが設定されたベアラの両方を設定可能である。例えば、Ｏｐｔｉｏｎ  ３Ｃ及びＯｐｔｉｏｎ  ２Ｃのそれぞれの設定情報（ｃｏｎｆｉｇｕｒａｔｉｏｎ）を含む個別ＲＲＣメッセージをｅＮＢ２００からＵＥ１００に送信する。ＵＥ１００の制御部１３０は、当該個別ＲＲＣメッセージを受信する処理を行う。個別ＲＲＣメッセージは、例えば「ＲＲＣ  Ｃｏｎｎｅｃｔｉｏｎ  Ｒｅｃｏｎｆｉｇｕｒａｔｉｏｎ」メッセージである。
【０２７２】
このように、１つのＵＥ１００に対して、Ｏｐｔｉｏｎ  ３Ｃ及びＯｐｔｉｏｎ  ２Ｃの同時設定が行われる。これにより、ＵＥ１００は、Ｏｐｔｉｏｎ  ３Ｃが設定されたＡＭモードのベアラ及びＯｐｔｉｏｎ  ２Ｃが設定されたＵＭモードのベアラを同時に使用することができる。
【０２７３】
また、第９実施形態において、Ｏｐｔｉｏｎ  ３ＣとＯｐｔｉｏｎ  ２Ｃとの間でベアラの設定を変更可能とする。図２５（Ｂ）に示すように、ｅＮＢ２００の制御部２３０は、Ｏｐｔｉｏｎ  ３Ｃ及びＯｐｔｉｏｎ  ２Ｃの両方をサポートするＵＥ１００に対して、Ｏｐｔｉｏｎ  ３ＣとＯｐｔｉｏｎ  ２Ｃとの間でベアラの設定を変更するための変更情報（Ｂｅａｒｅｒ  Ｔｙｐｅ  Ｃｈａｎｇｅ）を送信する処理を行う。例えば、Ｏｐｔｉｏｎ  ３ＣからＯｐｔｉｏｎ  ２Ｃへの変更を指示する情報、又はＯｐｔｉｏｎ  ２ＣからＯｐｔｉｏｎ  ３Ｃへの変更を指示する情報を含む個別ＲＲＣメッセージをｅＮＢ２００からＵＥ１００に送信する。ＵＥ１００の制御部１３０は、当該個別ＲＲＣメッセージを受信する処理を行う。個別ＲＲＣメッセージは、例えば「ＲＲＣ  Ｃｏｎｎｅｃｔｉｏｎ  Ｒｅｃｏｎｆｉｇｕｒａｔｉｏｎ」メッセージである。これにより、１つのベアラにＯｐｔｉｏｎ  ３Ｃ適用するか又はＯｐｔｉｏｎ  ２Ｃ適用するかを切り替えることができる。
【０２７４】
但し、ベアラの設定をＯｐｔｉｏｎ  ２ＣからＯｐｔｉｏｎ  ３Ｃに変更する場合において、ｅＮＢ２００の制御部２３０は、Ｏｐｔｉｏｎ  ３Ｃのための設定情報を変更情報（Ｂｅａｒｅｒ  Ｔｙｐｅ  Ｃｈａｎｇｅ）と共に送信する処理を行う。例えば、Ｏｐｔｉｏｎ  ３Ｃのための設定情報を個別ＲＲＣメッセージ（「ＲＲＣ  Ｃｏｎｎｅｃｔｉｏｎ  Ｒｅｃｏｎｆｉｇｕｒａｔｉｏｎ」メッセージ）に含める。ここで、Ｏｐｔｉｏｎ  ３Ｃのための設定情報とは、ＵＥ１００のＰＤＣＰ層（ＰＤＣＰ層＃２）に設定するリオーダリングタイマ値である。或いは、Ｏｐｔｉｏｎ  ３Ｃのための設定情報とは、ＵＥ１００の物理層／ＭＡＣ層／ＲＬＣ層（ＲＬＣ層＃２）に設定するパラメータ値である。
【０２７５】
また、Ｏｐｔｉｏｎ  ３ＣとＯｐｔｉｏｎ  ２Ｃとの間でベアラの設定を変更する場合において、以下の１）乃至３）のような動作を行ってもよい。
【０２７６】
１）ＰＤＣＰ  ＳＮ（Ｓｅｑｕｅｎｃｅ  Ｎｕｍｂｅｒ）値及びセキュリティキーは、そのまま保持される。これにより、特にＯｐｔｉｏｎ  ２ＣからＯｐｔｉｏｎ  ３Ｃへの変更を行う場合において、既にＷＬＡＮ側に転送済みのデータ（ＰＤＣＰ  ＰＤＵ）を有効に活用する（つまり、ＰＤＣＰリオーダリングを行う）ことができる。また、特にＯｐｔｉｏｎ  ３ＣからＯｐｔｉｏｎ  ２Ｃへの変更を行う場合において、ＬＴＥ側で送信完了していないＰＤＣＰ  ＰＤＵをそのままＷＬＡＮ側に転送し、ＰＤＣＰリオーダリングを行うことができる。
【０２７７】
２）上記の１）における、特にＯｐｔｉｏｎ  ３ＣからＯｐｔｉｏｎ  ２Ｃへの変更の為に、受信側のＰＤＣＰは、一時的にリオーダリング機能を適用する。例えば、データが一旦順序通りに並んで受信されたら終了する、又はあるタイマ値が設定されてこれが満了したら終了する。
【０２７８】
３）これらに伴い、上位レイヤへの未送信データ（ＰＤＣＰ  ＰＤＵ又はＳＤＵ）は保持される。
【０２７９】
［第１０実施形態］
第１０実施形態について、第１実施形態乃至第９実施形態との相違点を主として説明する。
【０２８０】
（第１０実施形態の概要）
上述したように、Ｃｏｌｌｏｃａｔｅｄシナリオにおいて、ｅＮＢ２００に設けられたＷＬＡＮ通信エンティティは、当該ｅＮＢ２００に設けられたＰＤＣＰ層から転送された下りデータ（ＰＤＣＰ  ＰＤＵ）を受け取り、当該下りデータをＷＬＡＮ通信によりＵＥ１００に送信する。ここで、「ＷＬＡＮ通信エンティティ」は、ＷＬＡＮ  ＭＡＣ層からなるエンティティである。但し、「ＷＬＡＮ通信エンティティ」は、ＷＬＡＮ  ＬＬＣ（Ｌｏｇｉｃａｌ  Ｌｉｎｋ  Ｃｏｎｔｒｏｌ）層のエンティティを含んでもよい。また、Ｎｏｎ−ｃｏｌｌｏｃａｔｅｄシナリオにおいて、ＷＬＡＮノード５００に設けられたＷＬＡＮ通信エンティティは、ｅＮＢ２００に設けられたＰＤＣＰ層から転送された下りデータ（ＰＤＣＰ  ＰＤＵ）を受け取り、当該下りデータをＷＬＡＮ通信によりＵＥ１００に送信する。
【０２８１】
上りリンクについては、ＵＥ１００に設けられたＷＬＡＮ通信エンティティは、当該ＵＥ１００に設けられたＰＤＣＰ層から転送された上りデータ（ＰＤＣＰ  ＰＤＵ）を受け取り、当該上りデータをＷＬＡＮ通信によりｅＮＢ２００又はＷＬＡＮノード５００に送信する。
【０２８２】
一方で、ＬＴＥの仕様上、ＰＤＣＰ層が下位層（ＲＬＣ層）に期待する機能として以下の１乃至４の機能を規定している。
【０２８３】
１．確認型データ転送サービス。ＰＤＣＰ  ＰＤＵの配送成功の通知（Ｓｕｃｃｅｓｓｆｕｌ  ｄｅｌｉｖｅｒｙ  ｉｎｄｉｃａｔｉｏｎ）を含む。
【０２８４】
２．非確認型データ転送サービス。
【０２８５】
３．順序配送（ｉｎ−ｓｅｑｕｅｎｃｅ  ｄｅｌｉｖｅｒｙ）。下位層の再確立時を除く。
【０２８６】
４．二重データ破棄（ｄｕｐｌｉｃａｔｅ  ｄｉｓｃａｒｄｉｎｇ）。下位層の再確立時を除く。
【０２８７】
しかしながら、ＬＴＥ・ＷＬＡＮアグリゲーション通信においては、ＰＤＣＰ層の下位層が、ＬＴＥにおける下位層（ＲＬＣ）ではなく、ＷＬＡＮ通信エンティティ（ＷＬＡＮ  ＭＡＣ／ＬＬＣ）となり得る。この場合、ＰＤＣＰ層が下位層に期待する機能がＷＬＡＮ通信エンティティにより提供されないことがあり得る。
【０２８８】
そこで、第１０実施形態においては、ＬＴＥ通信のＰＤＣＰ層からＷＬＡＮ通信エンティティにデータ（ＰＤＣＰ  ＰＤＵ）が転送される場合に、ＬＴＥ下位層に期待される機能がＰＤＣＰ層に提供されるように、ＷＬＡＮ通信エンティティの機能を補完する制御を行う。以下において、このような制御を行うエンティティを「ＴＥ（Ｔｅｒｍｉｎａｔｉｏｎ  Ｅｎｔｉｔｙ）」と称する。第１０実施形態において、ＴＥは、ＷＬＡＮ通信の仕様及びＰＤＣＰ層の仕様を変更することなく、上述した１乃至４の機能をＰＤＣＰ層に提供する。
【０２８９】
（ＴＥの配置例）
図２６は、第１０実施形態に係るＴＥの配置例１を示す図である。図２６に示すように、配置例１において、ＴＥは、ＣｏｌｌｏｃａｔｅｄシナリオにおけるｅＮＢ２００に設けられる。ｅＮＢ２００は、ＷＬＡＮ通信エンティティ（ＷＬＡＮ  ＭＡＣ／ＬＬＣ）と、当該ＷＬＡＮ通信エンティティに下りデータ（ＰＤＣＰ  ＰＤＵ）を転送するＰＤＣＰ層（ＰＤＣＰ層＃２）を有する。ＴＥは、ＷＬＡＮ通信エンティティ（ＷＬＡＮ  ＭＡＣ／ＬＬＣ）とＰＤＣＰ層（ＰＤＣＰ層＃２）との間に配置される。なお、ＴＥの機能は、ｅＮＢ２００の制御部２３０により実行される。
【０２９０】
図２７は、第１０実施形態に係るＴＥの配置例２を示す図である。図２７に示すように、配置例２において、ＴＥは、Ｎｏｎ−ｃｏｌｌｏｃａｔｅｄシナリオにおけるＷＬＡＮノード５００に設けられる。ＷＬＡＮノード５００は、ＷＬＡＮ通信エンティティ（ＷＬＡＮ  ＭＡＣ／ＬＬＣ）を有する。ｅＮＢ２００は、当該ＷＬＡＮ通信エンティティに下りデータ（ＰＤＣＰ  ＰＤＵ）を転送するＰＤＣＰ層（ＰＤＣＰ層＃２）を有する。ＴＥは、ＷＬＡＮノード５００において、ＸＷインターフェイスの終端に配置される。なお、ＴＥの機能は、ＷＬＡＮノード５００の制御部により実行される。
【０２９１】
図２８は、第１０実施形態に係るＴＥの配置例３を示す図である。図２８に示すように、配置例３において、ＴＥは、ＵＥ１００に設けられる。ＵＥ１００は、ＷＬＡＮ通信エンティティ（ＷＬＡＮ  ＭＡＣ／ＬＬＣ）と、当該ＷＬＡＮ通信エンティティに上りデータ（ＰＤＣＰ  ＰＤＵ）を転送するＰＤＣＰ層（ＰＤＣＰ層＃２）を有する。ＴＥは、ＷＬＡＮ通信エンティティ（ＷＬＡＮ  ＭＡＣ／ＬＬＣ）とＰＤＣＰ層（ＰＤＣＰ層＃２）との間に配置される。なお、ＴＥの機能は、ＵＥ１００の制御部１３０により実行される。
【０２９２】
（ＴＥの動作の具体例）
上述した１乃至４の機能をＰＤＣＰ層に提供するためのＴＥの動作の具体例について説明する。
【０２９３】
（１）確認型データ転送サービス。「Ｓｕｃｃｅｓｓｆｕｌ  ｄｅｌｉｖｅｒｙ  ｉｎｄｉｃａｔｉｏｎ」を含む。
【０２９４】
ＷＬＡＮ通信エンティティは、ＰＤＣＰ層から転送されたデータをＷＬＡＮ通信により送信する処理を行う。ＴＥは、ＷＬＡＮ通信エンティティにおけるデータ送信状況を監視することにより、ＰＤＣＰ層が解釈可能な送信完了通知（Ｓｕｃｃｅｓｓｆｕｌ  ｄｅｌｉｖｅｒｙ  ｉｎｄｉｃａｔｉｏｎ）をＰＤＣＰ層に提供する。
【０２９５】
例えば、ＷＬＡＮ  ＭＡＣ層は、受信側から送信側へＡｃｋを送信する機能をサポートしている。ＴＥは、ＰＤＣＰ  ＰＤＵごとにＡｃｋの受信状況を監視し、ＰＤＣＰ  ＰＤＵの送信が完了したと判断する度に「Ｓｕｃｃｅｓｓｆｕｌ  ｄｅｌｉｖｅｒｙ  ｉｎｄｉｃａｔｉｏｎ」を生成し、「Ｓｕｃｃｅｓｓｆｕｌ  ｄｅｌｉｖｅｒｙ  ｉｎｄｉｃａｔｉｏｎ」をＰＤＣＰ層に通知する。
【０２９６】
（２）非確認型データ転送サービス。
【０２９７】
ＴＥは、ＬＴＥ通信における非達確認モード（ＵＭ）が設定されたベアラのデータがＰＤＣＰ層からＷＬＡＮ通信エンティティに転送される場合において、ＷＬＡＮ通信における非達確認モード（ＵＭ）でＷＬＡＮ通信エンティティを動作させる。
【０２９８】
例えば、ＷＬＡＮ  ＭＡＣ層は、Ａｃｋを必要としないモード（すなわち、ＵＭ）をサポートしており、所定のパラメータに応じてＵＭで動作する。ＴＥは、ＵＭベアラが設定された場合において、当該所定のパラメータを適切な値に設定することにより、ＷＬＡＮ  ＭＡＣ層をＵＭで動作させる。
【０２９９】
また、ＴＥは、ＲＲＣ層からのＱｏＳ関連の設定に応じて、ＷＬＡＮのＱｏＳ制御に関するパラメータを適切な値に設定してもよい。
【０３００】
（３）順序配送（ｉｎ−ｓｅｑｕｅｎｃｅ  ｄｅｌｉｖｅｒｙ）。下位層の再確立時を除く。
【０３０１】
第１０実施形態において、ＴＥは、ＬＴＥ通信のＲＲＣ層からＷＬＡＮ通信の再確立（Ｒｅ−ｅｓｔａｂｌｉｓｈｍｅｎｔ）を指示された場合において、ＷＬＡＮ通信エンティティに保持されているデータの破棄、及びＷＬＡＮ通信エンティティに設定されているパラメータの初期化のうち、少なくとも一方を行う。
【０３０２】
ＬＴＥの仕様上、Ｒｅ−ｅｓｔａｂｌｉｓｈｍｅｎｔについてＲＬＣ層に期待される動作としては、以下の動作がある。
【０３０３】
・ＵＭ／ＡＭベアラに対して、受信側では、可能であればデータをＲｅａｓｓｅｍｂｌｅして上位レイヤに渡し、それ以外は破棄する。
【０３０４】
・ＵＭ／ＡＭベアラに対して、送信側では、すべて破棄する。
【０３０５】
・全タイマをストップしてリセットする。
【０３０６】
・全ての変数を初期値にする。
【０３０７】
例えば、ＴＥは、ＲＲＣ層からＲｅ−ｅｓｔａｂｌｉｓｈｍｅｎｔを指示された場合に、可能な限りＲＬＣ層と同様の動作を行えるように、ＷＬＡＮ  ＭＡＣ層の上位層（例えば、ＷＬＡＮ  ＬＬＣ層）を装って、ＷＬＡＮ  ＭＡＣ層に指示を送る。具体的には、ＷＬＡＮのすべてのデータを破棄、全パラメータ（タイマ、変数）を初期値に戻すことを指示する。
【０３０８】
（４）二重データ破棄（ｄｕｐｌｉｃａｔｅ  ｄｉｓｃａｒｄｉｎｇ）。下位層の再確立時を除く。
【０３０９】
ＴＥは、ＷＬＡＮ通信における二重データ破棄動作を行うようにＷＬＡＮ通信エンティティを動作させる。例えば、ＷＬＡＮ  ＭＡＣ層は二重データ破棄動作をサポートしている。このため、二重データ破棄動作に関するパラメータを適切な値に設定する、又はＷＬＡＮ  ＭＡＣ層の上位層（例えば、ＷＬＡＮ  ＬＬＣ層）を装うことにより、ＷＬＡＮ  ＭＡＣ層に二重データ破棄動作を実行させる。
【０３１０】
［第１０実施形態の変更例］
上述した第１０実施形態において、ＴＥがＰＤＣＰ層の外部に設けられる一例を説明したが、ＰＤＣＰ層がＴＥの機能をサポートしてもよい。具体的には、ＴＥの機能をＰＤＣＰ層の機能の一部として規定し、ＰＤＣＰ層がＴＥの機能を実行する。
【０３１１】
［その他の実施形態］
上述した第１実施形態乃至第１０実施形態は、別個独立して実施してもよいし、２以上の実施形態を組み合わせて実施してもよい。
【０３１２】
上述したＮｏｎ−ｃｏｌｌｏｃａｔｅｄシナリオ３（図９参照）のプロトコルスタックを、図２９のようなプロトコルスタックに変更してもよい。図２９に示すように、ＵＥ１００とＳ−ＧＷ３００との間に２つのベアラ＃１及び＃２が確立されている。ベアラ＃１の下りデータは、ＭｅＮＢ２００Ｍにおいて、ＰＤＣＰ層＃１、ＲＬＣ層＃１、及びＭＡＣ層＃１の各エンティティにより処理され、図示を省略するＬＴＥ物理層を介してＵＥ１００に送信される。ベアラ＃２は、ＭｅＮＢ２００Ｍにおいて、ＰＤＣＰ層＃２により２つに分割（スプリット）されている。ベアラ＃２の一方の分割ベアラの下りデータは、ＲＬＣ層＃２及びＭＡＣ層＃１の各エンティティにより処理され、図示を省略するＬＴＥ物理層を介してＵＥ１００に送信される。ベアラ＃２の他方の分割ベアラは、ＳｅＮＢ２００Ｓ及びＷＬＡＮノード５００を介して確立される。ベアラ＃２の他方の分割ベアラの下りデータの一部は、ＳｅＮＢ２００Ｓにおいて、ＲＬＣ層＃３及びＭＡＣ層＃２により処理され、図示を省略するＬＴＥ物理層を介してＵＥ１００に送信される。また、ベアラ＃２の他方の分割ベアラの下りデータの残りは、ＷＬＡＮノード５００において、ＷＬＡＮ  ＭＡＣ層により処理され、図示を省略するＷＬＡＮ物理層を介してＵＥ１００に送信される。
【０３１３】
上述した各実施形態において、移動通信システムとしてＬＴＥシステムを例示し、ＷＷＡＮ通信としてＬＴＥ通信を例示した。しかしながら、本発明はＬＴＥシステムに限定されない。ＬＴＥシステム以外の移動通信システムに本発明を適用してもよい。また、ＷＬＡＮ通信としてＩＥＥＥ８０２．１１を例示したが、ＩＥＥＥ８０２．１１に限定されるものではない。
【０３１４】
［付記1］
以下において、上述した実施形態の補足事項を説明する。
【０３１５】
（はじめに）
シナリオ及び要件に関する議論はラポータにより最高の優先度が付けられた。しかしながら、データフローはeNB/WLANがどのように配備されているかに依存するので、ユーザプレーンアーキテクチャとは別に配備シナリオを議論することは困難である。この付記は、なし得る配備シナリオを考慮してRAN2がどのようにプロトコルを仕様化すべきかについて説明する。
【０３１６】
（ベアラタイプ）
このWIDのためのRAN2の目的の1つは、ベアラリリース12 LTEの二重接続（Dual Connectivity）ベアラタイプ2C、3Cに基づいて、RAN、WLANプロトコルアーキテクチャを仕様化することである。ベアラタイプ2C/3Cは、小セル強化（small cell enhancement）の技術レポートで導入されている。RAN2は、SIの結果に基づいて、各ベアラタイプを定義すべきである。データフローの例として、下りリンクを例に挙げて以図30に示す。この表は、同じ場所の配置（collocated）であるか又は同じ場所に配置しない（non-collocated）かにかかわらず、PDCP PDUは、両ベアラタイプでWLANサイドに届けられることを示している。collocatedの場合には、WLANサイドは、LTEサイドに物理的に統合され、接続される。non-collocatedの場合には、これらのサイドは、外部の直接インターフェイスを介して接続される。
【０３１７】
（2Cと3Cとの比較）
・2Cは3Cの特殊なケースであるか？
2Cベアラ及び3Cベアラの間の差は、ベアラが分割されるか、言い換えれば、リオーダリング機能が存在するかどうかである。リオーダリングの必要性により、3Cオプションは2Cオプションよりも大きなバッファサイズを必要とする。要求される機能は2Cと3Cとで異なっている。このような観点から、2Cは3Cの特殊なケース（すなわち、スプリット比100％/ 0％）ではない。いくつかのUEは2Cに対応し3Cに対応していないケースがある。RAN2は、異なる機能として、これらのソリューションを定義すべきである。
【０３１８】
提案1：RAN2は2Cが3Cの特殊なケースではないと考えることに同意すべきである。
【０３１９】
・確認応答データ転送/非確認応答データ転送のサポート。
3Cベアラオプションは、特にnon-collocatedの場合、（UMなどの）非確認応答データ転送（unacknowledged data transfer）をサポートすることが好ましくないかもしれない。このようなデータ転送がリオーダリングに起因する遅延を受け入れることができないからである。
【０３２０】
一方、2Cベアラオプションは、リオーダリングの手順を必要としない。パケットは、WLANを介してUEから/へ順序通りに届けられる。2Cベアラオプションは、少なくともcollocatedの場合、確認応答及び非確認応答データ転送の両方をサポートすることが合理的である。
【０３２１】
提案2：2Cベアラオプションは、少なくともcollocatedの場合、UMタイプのデータ転送をサポートすべきである。
【０３２２】
・2C及び3Cを同時に設定することができるか？
提案1が合意された場合、2C及び3CをUEに同時に設定することができるかどうか明らかでない。Rel-12のDCでは、スプリットベアラ及びSCGベアラの同時設定は許可されていない。Rel-12 DCの場合とは異なり、2C及び3Cベアラオプションの間にはアーキテクチャの違いはない。2C及び3Cベアラタイプオプションを同時に設定することができる場合、UMタイプ及びAMタイプのベアラの両方をWLANにオフロードすることができる。WIDの正当化として記述されたQoE向上を達成するために、同時設定を可能にすることは合理的である。
【０３２３】
提案3：RAN2はソリューション2C及び3Cの同時設定が許可されるかどうかを議論すべきである。
【０３２４】
（LTE-WLANアグリゲーションのための全体的なアーキテクチャ）
RAN2は、collocated及びnon-collocatedの両方のシナリオについて、LTE-WLANアグリゲーションがEPCに透過的でなければならないという要件を有する。このことを考慮すると、WLAN AP/ACは、eNB内に併設するか、直接eNBに接続すべきである。3GPPノード（例えば、S-GW、MME）間の他の直接インターフェイスがあると考えるべきではない。この外部の直接インターフェイスはここでは「Xw」と名付けられる。
【０３２５】
RAN2は、WLAN/3GPPアグリゲーションのための全体的なアーキテクチャの予備的な仮定を得ることができる（図4）。
【０３２６】
いくつかの配備シナリオは、図4から議論することができる。
【０３２７】
1. eNBと併設（Collocated）
2. 非併設（Non-collocated）/MeNBと接続
3. SeNBと併設（Collocated）
【０３２８】
以下では、ソリューション（c）のみを明示的にプロトコルスタックの一例として示している。
【０３２９】
（eNBと併設）
図5：eNBと併設するケース。
【０３３０】
これは最も単純なケースである。WLANは、eNB内に併設されている。WLANのカバレッジのサイズが小さいことを考慮すると、WLANが小セルeNBに物理的に統合されることが自然である。この併設シナリオは、可能性が最も高い小セルスタンドアロン動作のために適用される。このシナリオでは、WLANは、キャリアアグリゲーション動作のSCellのように、セカンダリサービングセルとして使用されるべきである。LTEは、現在のキャリアアグリゲーションのようにPCellを設定しなければならない。
【０３３１】
併設シナリオを仕様化することはWIの目的の一つであるため、このシナリオは暗黙的に合意されている。
【０３３２】
提案4：RAN2は、eNBがWLANと同じ場所に配置されるシナリオに同意すべきである。
【０３３３】
（非併設/MeNBと接続）
図7：非併設/MeNBと接続するケース。オペレータはすでに多くのWLAN APを配備している可能性があるので、これはメインの配備シナリオの一つである。ユーザプレーンデータ配信のために、3GPPは、WLAN AP/ACとeNBとの間の新たな直接インターフェイスを必要とする。
【０３３４】
パケット転送に適用可能であるか又は単にCPのみのインターフェイスであるかはFFSであるが、RAN3は、eNBとWLANサイドとの間の直接インターフェイスを研究している。TRによると、WLANサイドのインターフェイスの終端の配置は、3GPPの範囲外である。よって、AP又はACのいずれかをXwをインターフェイスの終端とすることができる。ACに終端機能を実装する場合、オペレータは、すでに配備されているAPを効果的に使用することができる。
【０３３５】
このアーキテクチャは、DCの3Cのアーキテクチャに似ている。しかし、UEは、WLAN APにPUCCHを送信することはできないので、WLANは（SeNBのPSCellのような）特殊セルを持つことができないことに留意すべきである。この観点から、このシナリオは、CAではなくDCのRRHのシナリオに似ている。
【０３３６】
提案5：RAN2は、WLANがRRHを通じてMeNBに接続されるnon-collocatedシナリオを採用するかどうかを議論すべきである。
【０３３７】
（SeNBと併設）
小セルeNBと併設されるWLANが近い将来に一般的になると想像するのは容易である。このシナリオでは、併設WLANがSCGセルとして使用される同時DC設定として表現することができる。容量及びQoEの改善はこのWIのための正当化の一部であるため、DCとLTE-WLANアグリゲーションを同時に設定することができれば、それは検討に値する。
【０３３８】
提案6：RAN2は、DCとLTE-WLANアグリゲーションが同時に設定できるかどうかを議論すべきである。
【０３３９】
同時設定が合意されていると仮定すると、いくつかのケースがあるので、ベアラをオフロードする方法は不明である。
【０３４０】
Case.1：SCGベアラがWLANに分割される。
【０３４１】
Case.2：MeNBでPDCPがWLANに分割される。
【０３４２】
Case.3：MeNBでPDCPがSCG LTE SCell及びWLANに分割される。
【０３４３】
・Case.1：SCGベアラがWLANに分割される。
【０３４４】
図31：SeNBと併設/SCGベアラがWLANに分割されるケース。
【０３４５】
この場合、SCGベアラがSCG-RLC及びIEEE MACに届けられる。WLANは、SCGサービングセルとして使用される。これは、「eNBと併設」シナリオに非常によく似ている。
【０３４６】
提案7：同時設定が合意される場合は、WLANに分割されるSCGベアラのケースも合意されるべきである。
【０３４７】
・Case.2：MeNBでPDCPがWLANに分割される。
【０３４８】
図32：SeNBと併設/MeNBでPDCPがWLANに分割されるケース。このケースは、「非併設/MeNBに接続」シナリオに非常によく似ている。MeNBにおけるPDCPが分割され、PDUは、Rel-12 DCとしてSeNBに転送され、それはIEEE MACのみに送られる。Xwインターフェイスを必要とするため、Case 2及び「非併設/MeNBと接続」の両方が、Case 1又は3よりも望ましくないと思われる。
【０３４９】
提案8：RAN2は、SeNBと併設/ MeNBでPDCPをWLANに分割されるケースを合意するか否かを議論すべきである。
【０３５０】
・Case.3：MeNBでPDCPがSCG LTE SCell及びWLANに分割され、
図6：SeNBと併設/ MeNB内でPDCPがSCG LTE SCell及びWLANに分割されるケース。RAN2がWLANを1つのサービングセルとみなす場合、分割されたPDCP PDUをどのように割り当てるかはSeNBのスケジューラ次第である。MeNBから届けられたPDCP PDUの一部はRel-12 DCの分割ベアラとしてSCG-RLCにルーティングされ、その他のPDCP PDUはIEEE MACにルーティングされる。
【０３５１】
このシナリオでは、MeNB又はSeNBのどちらが、届けられるPDCP PDUをSCG-RLC又はIEEE MACに決定するか明らかでない。MeNBがそれを決定する場合、UEは、半静的にRRCメッセージで設定されることができるが、ルーティングを変更するためにRRC再設定（RRC Reconfiguration）が必要である。
【０３５２】
一方、SeNBがルーティングを決定する場合、いくつかの利点があるかもしれない。WLANの存在はMCGに透過的であり、SeNBは、自身のスケジューラにより、WLANを含む良好な無線のSCellに、届けられたPDUを動的にルーティングすることができる。
【０３５３】
提案9：RAN2は、SeNBと併設/ MeNB内でPDCPがSCG LTE SCell及びWLANに分割されるケースを合意するかどうかを議論すべきである。
【０３５４】
提案10：提案8が合意される場合、SeNBは、RLC又はWLANのどちらにPDCP PDUが届けられるか決めるべきである。
【０３５５】
［付記2］
（1.  WLANアグリゲーションのための配備シナリオ及びアーキテクチャ）
このWIの目的の一つは、リリース12のLTE二重接続ソリューション2C及び3C（図33参照）に基づいて、UE及びネットワークサイドでLTE-WLANアグリゲーションのRAN・WLANプロトコルアーキテクチャを仕様化することである。
【０３５６】
（ソリューション2C特有の機能）
-LTE-RLC/LTE-MACがない。結果として、PBR、バケット、論理チャネルが存在しないので、QoSを制御することが困難であると思われる。
【０３５７】
-リオーダリング機能が必要とされないので、非確認データ転送（UM型ベアラ）は、このソリューションのために設定することができる。
【０３５８】
（ソリューション3C特有の機能）
-リオーダリング機能は、eNB及びUEサイドの両方に必要とされる。
【０３５９】
-受信したPDCP PDUをリオーダリングするために大きなバッファサイズ必要とされる。
【０３６０】
- Rel-12 DCと同じ理由で、確認データ転送（AM型ベアラ）がこのソリューションのために設定されるべきである。
【０３６１】
（WLAN/3GPPアグリゲーションのためのE-UTRANユーザプレーン）
これは、WLAN/3GPPアグリゲーションのための全体的なアーキテクチャの予備的な仮定である。WIDに記載されるように、WLANアグリゲーションがEPCに透過的であるべきである。したがって、WLAN APは、eNB内に併設しなければならないか又は直接eNBに接続されている。3GPPノード（例えば、S-GW、MME）間の他の直接インターフェイスがあると考えるべきではない。
【０３６２】
いくつかの配備シナリオを議論することができる。
【０３６３】
1.1. eNBと併設
1.2. 非併設/MeNBと接続
1.3. SeNBと併設
1.4. 非併設/MeNBと接続ケース
1.5. 非併設/SeNBと接続ケース
【０３６４】
・全てのシナリオのための一般的なアップデート
全ての配備シナリオ及びプロトコルスタックについて、PDCPエンティティは、IEEE MAC層にPDCP PDUを供給しなければならない。IEEE MACは、PDCP PDUの配信成功（successful delivery）を示すためのサービスを持っていないので、RAN2は、AM型ベアラのための配信成功インディケーションなしにPDCP仕様を更新すべきである。
【０３６５】
CA及びDCとは異なり、IEEEのPHY層は、LTE-MACの下層に割り当てられていない。RAN2は、効率的にUEのバッテリ消費を低減するために活性化（activation）/不活性化（deactivation）メカニズムのいくつかの拡張を検討すべきである。
【０３６６】
（2. WLAN/3GPPインターワーキングの強化のための配備シナリオ及びアーキテクチャ）
（1.1. S2インターフェイスを伴うインターワーキングの強化）
WLAN/3GPPインターワーキングの強化は、このWIの主な目標の一つである。我々は「インターワーキング強化のためのソリューションは、リリース12で検討されたLTE/WLANインターワーキングの上に構築すべきである」という要件を持っている。
【０３６７】
Rel-12におけるSIの結果として、ソリューション3のトラフィックステアリングは、以下のように導入される。
【０３６８】
ステップ3：トラフィックステアリング：ANDSFが使用されていない場合、RANがトラフィックルーティングを制御するために、RANは、どのAPN/ベアラがオフロードされるか（されないか）を知る必要があり得る。RANは、例えばUEがS2C上でCNとバインディング更新（binding update）を発行することができるように、それに応じてUEに通知する手段を必要とする。これは、ASとNASレベルとの間のUEの挙動だけではなくCNとeNBとの間のシグナリングに影響を与えるであろう。
【０３６９】
データはS2インターフェイスを介して配信されると思われる。Rel-12 WLAN / 3GPP無線インターワーキングのように、現在のCNアーキテクチャを再利用することが簡単である。現在のアーキテクチャは、RP-150307で紹介されている（図34参照）。
【０３７０】
（1.1.1.Rel-12のUEベースのWLANインターワーキングとの共存）
Rel-12で検討されているソリューション3は、ネットワークベースのソリューションである。一方、Rel-12インターワーキングは、UEベースのソリューションである。我々は、どのエンティティ/機能/ルール/ポリシーがトラフィックステアリングを決めるべきか優先順位を研究しなければならない。
【０３７１】
ベースラインとして、ANDSFポリシーはRANルールよりも優先順位が高い。UE内のAS層は単に上位層にRANルールの結果を転送する。そして、上位層は、WLANへ/からトラフィックをステアリングする方法を決定する。
【０３７２】
互換性の観点からは、この方法は維持されるべきである。Rel-13のインターワーキングは単にUE AS層が上位層に結果を転送する方法を更新すべきである。RAN2は、UE AS層がRAN関連情報を上位層に転送する方法を更新すべきである。
【０３７３】
Rel-12のインターワーキングでは、個別の（dedicated）パラメータがブロードキャストパラメータよりも優先的にUEによって扱われる。同じ理由で、この優先順位はRel-13のインターワーキング強化で再利用されるべきである。ソリューション3はRRCコネクティッドモードのUEに適用可能であり、ステアリングコマンドはRRCメッセージを介して提供することができるため、Rel-13のインターワーキングでのステアリングコマンドは、RANルールの結果よりも高い優先順位として扱われるべきである。ステアリングコマンド及び個別のRAN補助の両パラメータが個別のRRCメッセージを介して同じeNBによって提供されるので、ステアリングコマンドは、個別のRAN補助パラメータによるRANルールの結果と矛盾することはない。
【０３７４】
Rel-13のインターワーキング強化でのテアリングコマンドは、RANルールの結果よりも高い優先順位として扱われるべきである。
【０３７５】
既存のスキームを図35に示す。
【０３７６】
RRCの現在の仕様では、AS層は情報を上位層に転送する。この方式は維持されるべきである。この観点から、UEがeNBからステアリングコマンドを受信したときに、UEは、個別のパラメータを維持し、かつRel-12の同じ方式で上位レイヤにパラメータを転送すべきである。UEは、eNBからステアリングコマンドを受信した場合、専用のパラメータを維持すべきである。
【０３７７】
RRCメッセージを介してeNBによってステアリングコマンドが提供されると考えると、RRCメカニズムが上位層にステアリングコマンドを通知するように更新されるべきである。
【０３７８】
例えば：
wlan-SteeringCommand ::= SEQUENCE {
WLAN-Id-r13 WLAN-Id-List-r12,
steeringState ENUMERATED {toLTE,toWLAN,null}
}
RRC接続再設定（RRCConnectionReconfiguration）メッセージがWLAN-SteeringCommandを含み、UEがこのメッセージに含まれた設定に準拠することが可能である場合、UEは：
1>受信したsteeringStateを適用する。
【０３７９】
1> WLAN-ID-Listを上位層に転送し、転送するWLAN-ID-ListについてT-SteeringWLANの時間区間においてトラフィックをステアリング（to/from E-UTRAN from/to WLAN）する条件が満たされたことを上位層に知らせる。
【０３８０】
アイドルモードの手順は、steeringStateがtoLTE又はtoWLANである間の現在の動作を回避するために変更すべきである。
【０３８１】
（1.2. Xwインターフェイスを伴うインターワーキング強化）
代替的に又は付加的に、インターワーキング強化のためにLTE-WLANアグリゲーションアーキテクチャを再利用することが可能である。スプリットベアラオプションは、インターワーキング強化のために想定されていない。したがって、3Cオプションが削除される。一方、2Cオプションは、分割/リオーダリング機能を必要としないので、このオプションを再利用することができる。
【０３８２】
RAN2は、WLANインターワーキング強化のために2Cベアラオプションを考慮することができる（図36参照）。
【０３８３】
2Cオプションに加えて、2Aは、より少ない影響を有すると考えることができる。2Aオプションでは、非併設シナリオで、PDCP SDU（IPパケット）は単に直接インターフェイスによりWLANノードへ/から転送される。併設シナリオでは、PDCP SDUは単にeNB内で届けられる。このオプションは、追加機能を必要としない。
【０３８４】
2Aオプションが合意される場合、eNBベースでのWLANノードへ/からのトラフィックステアリングが可能である。 APNレベルよりも細かいレベルでトラフィックステアリングが容易に可能である。
【０３８５】
RAN2は、WLANインターワーキング強化のための2Aベアラオプションを考慮することができる（図36参照）。
【０３８６】
WLANインターワーキング強化で2A及び2Cの両シナリオについて、UEは、eNBにより送信されたRRCメッセージによってトラフィックステアリングをトリガすることができる。ベースラインとして、AM及びUMの両タイプを設定することができる。図2A及び2Cの同時設定については更なる検討が必要である。2Aと2Cとの間のベアラタイプの変更については更なる検討が必要である。
【０３８７】
・WLAN追加/解放するためのパケット損失をどのようにして避けるか？
2Cオプションでのパケット損失の回避は、WLANアグリゲーションと同様とすることができる。PDCPエンティティが各パケットにPDCP SNを割り当てているので、損失のチェックが可能である。下位層が（RLCのような）再確立方式の機能をサポートする場合、既存のメカニズムも再利用される。2Aオプションでのパケット損失回避については更なる検討が必要である。
【０３８８】
（3.IEEE MACでサポートされている機能（ピアPDCPエンティティ事項））
UE及びMeNBの両方がPDCPエンティティを有するので、PDCP状態報告（PDCP status report）はこれら2つのピアエンティティ間で配信することができる。
【０３８９】
PDCP状態報告及びPDCPデータリカバリの両方が現在のPDCPの仕様に応じて上位層（RRC）によって開始される。PDCP状態報告に関しては、RRCがPDCP再確立を要求するときにこの手順が開始される。RRCは、RRC接続再確立及びハンドオーバの場合にPDCP再確立を要求する。
【０３９０】
ここでの問題は、RLCのような下位層エンティティが存在しないと思われることである。PDCP仕様では、「下位層から期待されるサービス」というセクションがある。
【０３９１】
-PDCP PDUの配信成功のインディケーションを含む、確認データ転送（acknowledged data transfer）サービス。
【０３９２】
-非確認データ転送（unacknowledged data transfer）サービス。
【０３９３】
-下位層の再確立を除いて、順次伝送（in-sequence delivery）。
【０３９４】
-下位層の再確立を除いて、複製破棄（duplicate discarding）。
【０３９５】
IEEE MACは、これらの機能をサポートしていない可能性がある。再確立をサポートしないことが課題の一つである。
【０３９６】
RAN2は、この問題を解決するために2つのオプションを持ち得る。
【０３９７】
Option 1：PDCP仕様において下位層から期待されるサービスを変更する。
【０３９８】
Option 2：オプション2は、PDCPとIEEE MACとの間にいくつかの新しいプロトコル層（アダプタのようなもの）を作成し、新しい層は、PDCPによって期待されるサービスを（例えばIEEE MACの動作を監視することによって）サポートする。この新しいプロトコルは、QoSの取り扱いを監視及び実行することができる。このQoS処理は、直接インターフェイスを介してeNBによって送信される追加要求メッセージのために使用することができる。これは、SeNB追加要求が行うようなE-RABレベルQoSパラメータの処理のようなものである。
【０３９９】
下位層が順次伝送（in-sequence delivery）をサポートすることができない場合、PDCPは、2CベアラオプションでもPDCP PDU/SDUをリオーダリングすることができる。
【０４００】
WLAN除去（WLAN removal）
この新しいプロトコル/機能は、データがWLANサイドに存在するか否かを監視することができる。特定の時間間隔の間にデータフローが存在しない場合、UEは、eNBに報告することができる。次に、eNBは、WLANを削除する（eNBは、対応する無線ベアラを削除するためにUEを再設定する）。WLANが削除（又は非アクティブ化）されても、設定に応じてUEはWLANを測定し続けることができる。
【０４０１】
［相互参照］
日本国特許出願第２０１５−０４４８９０号（２０１５年３月６日出願）及び米国仮出願６２／１４５８０８号（２０１５年４月１０日出願）の全内容が参照により本願明細書に組み込まれている。
【産業上の利用可能性】
【０４０２】
本発明は、通信分野において有用である。
【図１】
2018110441.tif 000003
【図２】
2018110441.tif 000004
【図３】
2018110441.tif 000005
【図４】
2018110441.tif 000006
【図５】
2018110441.tif 000007
【図６】
2018110441.tif 000008
【図７】
2018110441.tif 000009
【図８】
2018110441.tif 000010
【図９】
2018110441.tif 000011
【図１０】
2018110441.tif 000012
【図１１】
2018110441.tif 000013
【図１２】
2018110441.tif 000014
【図１３】
2018110441.tif 000015
【図１４】
2018110441.tif 000016
【図１５】
2018110441.tif 000017
【図１６】
2018110441.tif 000018
【図１７】
2018110441.tif 000019
【図１８】
2018110441.tif 000020
【図１９】
2018110441.tif 000021
【図２０】
2018110441.tif 000022
【図２１】
2018110441.tif 000023
【図２２】
2018110441.tif 000024
【図２３】
2018110441.tif 000025
【図２４】
2018110441.tif 000026
【図２５】
2018110441.tif 000027
【図２６】
2018110441.tif 000028
【図２７】
2018110441.tif 000029
【図２８】
2018110441.tif 000030
【図２９】
2018110441.tif 000031
【図３０】
2018110441.tif 000032
【図３１】
2018110441.tif 000033
【図３２】
2018110441.tif 000034
【図３３】
2018110441.tif 000035
【図３４】
2018110441.tif 000036
【図３５】
2018110441.tif 000037
【図３６】
2018110441.tif 000038
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
ＷＷＡＮ通信及びＷＬＡＮ通信を同時に使用したＷＷＡＮ・ＷＬＡＮアグリゲーション通信が可能な無線端末と、
ＷＬＡＮ向けの測定対象としてＷＬＡＮ周波数情報及びＷＬＡＮ識別子を含むＲＲＣメッセージを前記無線端末に送信する基地局と、を備え、
前記無線端末は、前記ＷＷＡＮ・ＷＬＡＮアグリゲーション通信の実行中に、前記ＲＲＣメッセージに含まれる前記ＷＬＡＮ周波数情報及び前記ＷＬＡＮ識別子に基づいて、前記ＷＬＡＮ通信の測定結果に関するＷＬＡＮ測定情報を前記ＷＷＡＮ通信により前記基地局に送信し、
前記基地局は、前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する
ことを特徴とする移動通信システム。
【請求項２】
前記基地局は、前記無線端末の１つのベアラを前記ＷＷＡＮ通信用の第１のベアラ及び前記ＷＬＡＮ通信用の第２のベアラに分割するとともに、前記第１のベアラと前記第２のベアラとの間のデータ割り振りを行う基地局であることを特徴とする請求項１に記載の移動通信システム。
【請求項３】
前記無線端末は、前記ＷＷＡＮ通信のＲＲＣ層仕様で規定されたＲＲＣシグナリングにより、前記ＷＬＡＮ測定情報を前記基地局に送信することを特徴とする請求項１又は２に記載の移動通信システム。
【請求項４】
前記ＷＬＡＮ測定情報は、ＷＬＡＮチャネル品質パラメータを含むことを特徴とする請求項１乃至３の何れか一項に記載の移動通信システム。
【請求項５】
前記ＷＬＡＮ測定情報は、ＷＬＡＮ混雑度パラメータを含むことを特徴とする請求項１乃至４の何れか一項に記載の移動通信システム。
【請求項６】
ＷＷＡＮ通信及びＷＬＡＮ通信を同時に使用して無線端末との通信を行うＷＷＡＮ・ＷＬＡＮアグリゲーション通信が可能なネットワークに設けられる基地局であって、
ＷＬＡＮ向けの測定対象としてＷＬＡＮ周波数情報及びＷＬＡＮ識別子を含むＲＲＣメッセージを前記無線端末に送信する送信部と、
前記ＷＷＡＮ・ＷＬＡＮアグリゲーション通信の実行中に、前記ＷＬＡＮ通信の測定結果に関するＷＬＡＮ測定情報を前記ＷＷＡＮ通信により前記無線端末から受信する受信部と、
前記ＷＬＡＮ測定情報に基づいて、前記無線端末における前記ＷＷＡＮ・ＷＬＡＮアグリゲーション通信の設定の解放、変更、及び使用停止のうち少なくとも１つを制御する制御部と、
を備えることを特徴とする基地局。
【請求項７】
ＷＷＡＮ通信及びＷＬＡＮ通信を同時に使用したＷＷＡＮ・ＷＬＡＮアグリゲーション通信が可能な無線端末であって、
ＷＬＡＮ向けの測定対象としてＷＬＡＮ周波数情報及びＷＬＡＮ識別子を含むＲＲＣメッセージを基地局から受信する受信部と、
前記ＷＷＡＮ・ＷＬＡＮアグリゲーション通信の実行中に、前記ＲＲＣメッセージに含まれる前記ＷＬＡＮ周波数情報及び前記ＷＬＡＮ識別子に基づいて、前記ＷＬＡＮ通信の測定結果に関するＷＬＡＮ測定情報を前記ＷＷＡＮ通信により前記基地局に送信する送信部と、を備え、
前記ＷＬＡＮ測定情報の送信後、前記受信部は、前記ＷＷＡＮ・ＷＬＡＮアグリゲーション通信の設定の解放、変更、及び使用停止のうち少なくとも１つを指示する信号を前記基地局から受信する
ことを特徴とする無線端末。